(57)【要約】本願は通信方法及び装置を提供する。方法は、端末が、検出されたアプリケーションが第１ネットワークに関連すると決定し、端末で設定された情報に基づいて、第１ネットワークが特定のエリア内でのみアクセス可能なネットワークであると決定し、第１ネットワークについてのネットワーク情報を取得し、いつ端末がネットワーク情報によって示されたエリア内にあるかに応答して、セッション管理プロシージャを開始すると決定することを含む。
2021503865.tif 000002
【特許請求の範囲】
【請求項１】
通信方法であって、
モビリティ管理ネットワーク要素によって、サービス・エリア及びネットワークのデータネットワーク名ＤＮＮに基づいて、前記サービス・エリア内にあって前記ＤＮＮにサブスクライブしている端末の識別子を含む端末リストを決定することと、
前記モビリティ管理ネットワーク要素によって、前記ＤＮＮに対応するポリシー情報を取得し、前記端末リスト内の各端末に対応するネットワーク情報を決定し、該ネットワーク情報が前記ＤＮＮ及び前記端末の通信エリアを含む、ことと、
前記モビリティ管理ネットワーク要素によって、前記ポリシー情報及び前記端末に対応する前記ネットワーク情報を前記端末リスト内の前記端末へ送ることと
を有する方法。
【請求項２】
前記方法は、
前記モビリティ管理ネットワーク要素によって、前記端末リストを要求するために使用されるクエリ要求を通信ネットワーク要素から受け取ることと、
前記モビリティ管理ネットワーク要素によって、前記端末リストを前記通信ネットワーク要素へ送ることと
を更に有する、
請求項１に記載の方法。
【請求項３】
前記方法は、
新しい端末が前記サービス・エリアに入り、該新しい端末が前記ＤＮＮにサブスクライブしている場合に、前記モビリティ管理ネットワーク要素が前記新しい端末の識別子を前記通信ネットワーク要素に報告するように、前記モビリティ管理ネットワーク要素によって、前記通信ネットワーク要素からサブスクリプションを受け取ることを更に有する、
請求項２に記載の方法。
【請求項４】
前記方法は、
前記モビリティ管理ネットワーク要素によって、前記端末リストを含み、該端末リスト内の前記端末のコンフィグレーション情報の更新を通知する通知メッセージを前記通信ネットワーク要素から受け取ることを更に有する、
請求項２又は３に記載の方法。
【請求項５】
前記通知メッセージは、前記ポリシー情報を更に含む、
請求項４に記載の方法。
【請求項６】
前記方法は、
前記モビリティ管理ネットワーク要素によって、前記ＤＮＮ及び／又は前記サービス・エリアを含み、前記端末のコンフィグレーション情報の更新を通知する通知メッセージを通信ネットワーク要素から受け取ることを更に有する、
請求項１に記載の方法。
【請求項７】
前記モビリティ管理ネットワーク要素によって、前記ＤＮＮに対応するポリシー情報を取得することは、
前記モビリティ管理ネットワーク要素において事前設定された前記ポリシー情報を取得すること、又は
前記モビリティ管理ネットワーク要素によって、ポリシー制御ネットワーク要素から前記ポリシー情報を取得すること、又は
前記モビリティ管理ネットワーク要素によって、データ管理ネットワーク要素から前記ポリシー情報を取得すること
を有する、
請求項１乃至４及び６のうちいずれか一項に記載の方法。
【請求項８】
通信方法であって、
通信ネットワーク要素によって、ネットワークのサービス・エリア内にあって該ネットワークのデータネットワーク名ＤＮＮにサブスクライブしている端末の識別子を含む端末リストを取得することと、
前記通信ネットワーク要素によって、前記端末リストを含み、該端末リスト内の前記端末のコンフィグレーション情報の更新を通知する通知メッセージをモビリティ管理ネットワーク要素へ送ることと
を有する方法。
【請求項９】
通信ネットワーク要素によって端末リストを取得することは、
前記通信ネットワーク要素によって、前記端末リストを要求するために使用されるクエリ要求を前記モビリティ管理ネットワーク要素へ送ることと、
前記通信ネットワーク要素によって、前記モビリティ管理ネットワーク要素から前記端末リストを受け取ることと
を有する、
請求項８に記載の方法。
【請求項１０】
前記方法は、
新しい端末が前記サービス・エリアに入り、該新しい端末が前記ＤＮＮにサブスクライブしている場合に、前記モビリティ管理ネットワーク要素が前記新しい端末の識別子を前記通信ネットワーク要素に報告するように、前記通信ネットワーク要素によって、前記モビリティ管理ネットワーク要素にサブスクライブすることを更に有する、
請求項９に記載の方法。
【請求項１１】
前記方法は、
前記通信ネットワーク要素によって、前記モビリティ管理ネットワーク要素によって報告された前記新しい端末の前記識別子を前記端末リストに加えることを更に有する、
請求項１０に記載の方法。
【請求項１２】
前記通知メッセージは、ポリシー情報を更に含む、
請求項８乃至１１のうちいずれか一項に記載の方法。
【請求項１３】
通信方法であって、
ネットワーク露出ネットワーク要素によって、ネットワークの物理カバレッジエリアを有する要求メッセージをアプリケーションデバイスから受け取ることと、
前記ネットワーク露出ネットワーク要素によって、前記ネットワークの前記物理カバレッジエリアに基づいてモビリティ管理ネットワーク要素及び前記ネットワークのサービス・エリアを決定することと、
前記ネットワーク露出ネットワーク要素によって、データネットワーク名ＤＮＮ及び前記ネットワークの前記サービス・エリアを有する更新メッセージを前記モビリティ管理ネットワーク要素へ送ることと
を有する方法。
【請求項１４】
前記方法は、
前記ネットワーク露出ネットワーク要素によって、前記ＤＮＮに対応するポリシー情報を前記モビリティ管理ネットワーク要素へ送ること、及び／又は
前記ネットワーク露出ネットワーク要素によって、前記ＤＮＮに対応するポリシー情報をデータ管理ネットワーク要素へ送ること、及び／又は
前記ネットワーク露出ネットワーク要素によって、前記ＤＮＮに対応するポリシー情報をポリシー制御ネットワーク要素へ送ること
を更に有する、
請求項１３に記載の方法。
【請求項１５】
前記方法は、
前記ネットワーク露出ネットワーク要素によって、前記ネットワークがローカル・エリア・データ・ネットワークであることを示す前記ネットワークについての指示情報を付加することを更に有する、
請求項１３又は１４に記載の方法。
【請求項１６】
処理ユニット及び送信ユニットを有し、
前記処理ユニットは、サービス・エリア及びネットワークのデータネットワーク名ＤＮＮに基づいて、前記サービス・エリア内にあって前記ＤＮＮにサブスクライブしている端末の識別子を含む端末リストを決定するよう構成され、かつ、前記ＤＮＮに対応するポリシー情報を取得し、前記端末リスト内の各端末に対応するネットワーク情報を決定し、該ネットワーク情報が前記ＤＮＮ及び前記端末の通信エリアを含む、よう構成され、
前記送信ユニットは、前記ポリシー情報及び前記端末に対応する前記ネットワーク情報を前記端末リスト内の前記端末へ送るよう構成される、
装置。
【請求項１７】
前記装置は、受信ユニットを更に有し、
前記受信ユニットは、前記端末リストを要求するために使用されるクエリ要求を通信ネットワーク要素から受け取るよう構成され、
前記送信ユニットは、前記端末リストを前記通信ネットワーク要素へ送るよう更に構成される、
請求項１６に記載の装置。
【請求項１８】
前記受信ユニットは、新しい端末が前記サービス・エリアに入り、該新しい端末が前記ＤＮＮにサブスクライブしている場合に、前記装置が前記新しい端末の識別子を前記通信ネットワーク要素に報告するように、前記通信ネットワーク要素からサブスクリプションを受け取るよう更に構成される、
請求項１７に記載の装置。
【請求項１９】
前記受信ユニットは、前記端末リストを含み、該端末リスト内の前記端末のコンフィグレーション情報の更新を通知する通知メッセージを前記通信ネットワーク要素から受け取るよう更に構成される、
請求項１７又は１８に記載の装置。
【請求項２０】
前記通知メッセージは、前記ポリシー情報を更に含む、
請求項１９に記載の装置。
【請求項２１】
前記装置は、受信ユニットを更に有し、
前記受信ユニットは、前記ＤＮＮ及び／又は前記サービス・エリアを含み、前記端末のコンフィグレーション情報の更新を通知する通知メッセージを通信ネットワーク要素から受け取るよう構成される、
請求項１６に記載の装置。
【請求項２２】
前記処理ユニットは、
前記装置において事前設定された前記ポリシー情報を取得するよう、又は
ポリシー制御ネットワーク要素から前記ポリシー情報を取得するよう、又は
データ管理ネットワーク要素から前記ポリシー情報を取得するよう
特に構成される、
請求項１６乃至１９及び２１のうちいずれか一項に記載の装置。
【請求項２３】
送信ユニット及び処理ユニットを有し、
前記処理ユニットは、ネットワークのサービス・エリア内にあって該ネットワークのデータネットワーク名ＤＮＮにサブスクライブしている端末の識別子を含む端末リストを取得するよう構成され、
前記送信ユニットは、前記端末リストを含み、該端末リスト内の前記端末のコンフィグレーション情報の更新を通知する通知メッセージをモビリティ管理ネットワーク要素へ送るよう構成される、
装置。
【請求項２４】
前記装置は、受信ユニットを更に有し、
前記処理ユニットは、前記送信ユニットを使用することによって、前記端末リストを要求するために使用されるクエリ要求を前記モビリティ管理ネットワーク要素へ送るよう特に構成され、
前記受信ユニットは、前記モビリティ管理ネットワーク要素から前記端末リストを受け取るよう構成される、
請求項２３に記載の装置。
【請求項２５】
前記送信ユニットは、新しい端末が前記サービス・エリアに入り、該新しい端末が前記ＤＮＮにサブスクライブしている場合に、前記モビリティ管理ネットワーク要素が前記新しい端末の識別子を前記装置に報告するように、前記モビリティ管理ネットワーク要素にサブスクライブするよう更に構成される、
請求項２４に記載の装置。
【請求項２６】
前記処理ユニットは、前記モビリティ管理ネットワーク要素によって報告された前記新しい端末の前記識別子を前記端末リストに加えるよう更に構成される、
請求項２５に記載の装置。
【請求項２７】
前記通知メッセージは、ポリシー情報を更に含む、
請求項２３乃至２６のうちいずれか一項に記載の装置。
【請求項２８】
受信ユニット、送信ユニット、及び処理ユニットを有し、
前記受信ユニットは、ネットワークの物理カバレッジエリアを有する要求メッセージをアプリケーションデバイスから受け取るよう構成され、
前記処理ユニットは、前記ネットワークの前記物理カバレッジエリアに基づいてモビリティ管理ネットワーク要素及び前記ネットワークのサービス・エリアを決定するよう構成され、
前記送信ユニットは、データネットワーク名ＤＮＮ及び前記ネットワークの前記サービス・エリアを有する更新メッセージを前記モビリティ管理ネットワーク要素へ送るよう構成される、
装置。
【請求項２９】
前記送信ユニットは、
前記ＤＮＮに対応するポリシー情報を前記モビリティ管理ネットワーク要素へ送るよう、及び／又は
前記ＤＮＮに対応するポリシー情報をデータ管理ネットワーク要素へ送るよう、及び／又は
前記ＤＮＮに対応するポリシー情報をポリシー制御ネットワーク要素へ送るよう
更に構成される、
請求項２８に記載の装置。
【請求項３０】
前記処理ユニットは、前記ネットワークがローカル・エリア・データ・ネットワークであることを示す前記ネットワークについての指示情報を付加するよう更に構成される、
請求項２８又は２９に記載の装置。
【請求項３１】
通信方法であって、
端末によって、第１ネットワークが特定のエリア内でのみアクセス可能なネットワークであることを示すローカル指示と、前記第１ネットワークを識別するために使用されるネットワーク識別子とを含むポリシー情報を取得することと、
前記端末によって、前記ポリシー情報に基づいて、検出されたアプリケーションに関連した前記第１ネットワークが特定のエリア内でのみアクセス可能なネットワークであることを決定することと
を有する方法。
【請求項３２】
前記端末によってネットワーク情報を取得することと、
前記端末が前記ネットワーク情報によって示されるエリア内にあるときに、前記端末によって、セッション管理プロシージャを開始すると決定することと
を更に有する、
請求項３１に記載の方法。
【請求項３３】
前記端末によってネットワーク情報を取得することは、
前記端末によって、モビリティ管理ネットワーク要素から前記ネットワーク情報を取得することを有する、
請求項３２に記載の方法。
【請求項３４】
前記端末がネットワーク情報を有していないときに、前記端末によって、セッション管理を開始しないと決定することを更に有する、
請求項３１に記載の方法。
【請求項３５】
前記ネットワーク情報は、前記第１ネットワークの前記ネットワーク識別子と、通信エリア情報とを含み、該通信エリア情報は、前記端末の登録エリアと前記第１ネットワークのサービス・エリアとの交差領域を示す、
請求項３２乃至３４のうちいずれか一項に記載の方法。
【請求項３６】
前記特定のエリア内でのみアクセス可能な前記ネットワークがローカル・エリア・データ・ネットワークＬＡＤＮであるときに、前記ネットワーク識別子は、データネットワーク名ＤＮＮであり、あるいは、
前記特定のエリア内でのみアクセス可能な前記ネットワークがローカル・スライス・ネットワークであるときに、前記ネットワーク識別子は、スライス識別子である、
請求項３１乃至３５のうちいずれか一項に記載の方法。
【請求項３７】
前記ポリシー情報は、ユーザ装置ルート選択ポリシーＵＲＳＰである、
請求項３１乃至３６のうちいずれか一項に記載の方法。
【請求項３８】
プロセッサ、メモリ、通信ライン、及び通信インターフェイスを有する通信装置であって、
前記メモリは、コンピュータ実行可能命令を記憶するよう構成され、
前記プロセッサは、前記通信ラインを使用することによって前記メモリへ接続され、
前記通信装置が動作するときに、前記プロセッサは、前記メモリに記憶されている前記コンピュータ実行可能命令を実行して、前記通信装置が請求項３１乃至３７のうちいずれか一項に記載の通信方法を実行するようにする、
通信装置。
【請求項３９】
前記通信装置は端末である、
請求項３８に記載の通信装置。
【請求項４０】
コンピュータ実行可能命令を有し、
端末のプロセッサが前記コンピュータ実行可能命令を実行するときに、前記端末は、請求項３１乃至３７のうちいずれか一項に記載の通信方法を実行する、
コンピュータ可読記憶媒体。
【発明の詳細な説明】
【技術分野】
【０００１】
本願は、移動体通信技術の分野に、特に、通信方法及び装置に関係がある。
【背景技術】
【０００２】
第５世代（the  5th  generation，５Ｇ）通信は、ローカル・エリア・データ・ネットワーク（local  Area  Data  Network，ＬＡＤＮ）を提案している。ＬＡＤＮは主に、企業、スタジアム活動、及びコンサートホールなどのシナリオのために開発されたネットワークである。そのようなＬＡＤＮの特徴は、端末がＬＡＤＮのサービス・エリア（Service  Area，ＳＡ）内にあるときにのみ端末がＬＡＤＮにアクセスすることができることである。端末がＬＡＤＮのサービス・エリアから離れるとき、ネットワークは、ＬＡＤＮにアクセスしているセッションを切断する。
【０００３】
新しいローカル・エリア・データ・ネットワークがエリアにおいて構築された後、ネットワーク内の端末にコンフィグレーション情報を更新するよう通知する解決法は未だない。
【発明の概要】
【０００４】
本願は、端末のコンフィグレーション情報を更新するように、通信方法及び装置を提供する。
【０００５】
第１の態様に従って、本願は通信方法を提供する。方法は、モビリティ管理ネットワーク要素がサービス・エリア及びネットワークのデータネットワーク名（data  network  name，ＤＮＮ）に基づいて端末リストを決定することを含み、このとき、端末リストは、サービス・エリア内にあってＤＮＮにサブスクライブしている端末の識別子を含み、ＤＮＮにサブスクライブしている端末は、ワイルドカードＤＮＮにサブスクライブしている端末であってよく、あるいは、ワイルドカードＤＮＮの代わりにネットワークのＤＮＮにサブスクライブしている端末であってよい。次いで、モビリティ管理ネットワーク要素は、ＤＮＮに対応するポリシー情報を取得し、端末リスト内の各端末に対応するネットワーク情報を決定し、このとき、ネットワーク情報は、ＤＮＮ及び端末の通信エリアを含む。その後、モビリティ管理ネットワーク要素は、ポリシー情報及び端末に対応するネットワーク情報を端末リスト内の端末へ送る。
【０００６】
上記の方法に従って、モビリティ管理ネットワーク要素は、最初に端末リストを決定し、次いで端末リスト内の端末へコンフィグレーション情報（ポリシー情報及びネットワーク情報を含む）を送り、それにより、端末は、受け取られたコンフィグレーション情報に基づいて更新を実行して、端末の設定を更新する。更に、モビリティ管理ネットワーク要素は、ネットワークのサービス・エリア内にあってネットワークのＤＮＮにサブスクライブしている端末のみのコンフィグレーション情報を更新し、それにより、ネットワークオーバーヘッドは低減され得る。
【０００７】
可能な実施において、モビリティ管理ネットワーク要素は、通信ネットワーク要素からクエリ要求を受け取り、このとき、クエリ要求は、端末リストを要求するために使用され、そして、モビリティ管理ネットワーク要素は、端末リストを通信ネットワーク要素へ送る。
【０００８】
更に、モビリティ管理ネットワーク要素は、新しい端末がサービス・エリアに入り、新しい端末がネットワークのＤＮＮにサブスクライブしている場合に、モビリティ管理ネットワーク要素が新しい端末の識別子を通信ネットワーク要素に報告するように、通信ネットワーク要素からサブスクリプションを更に受け取ってよい。
【０００９】
上記２つの様態において、モビリティ管理ネットワーク要素は、サービス・エリア内にあってネットワークのＤＮＮにサブスクライブしている端末の識別子を通信ネットワーク要素へ送ってよい。通信ネットワーク要素は、データ管理ネットワーク要素、ポリシー制御ネットワーク要素、ネットワーク露出ネットワーク要素、又はそのようなものであってよい。
【００１０】
可能な実施において、モビリティ管理ネットワーク要素は、代替的に、通信ネットワーク要素から通知メッセージを受け取った後に、上記の実施形態における通信方法を実行してもよく、このとき、通知メッセージは、端末リストを含み、通知メッセージは、端末リスト内の端末のコンフィグレーション情報の更新を通知する。任意に、通知メッセージは、ポリシー情報を更に含む。
【００１１】
他の可能な実施において、モビリティ管理ネットワーク要素は、通信ネットワーク要素から通知メッセージを受け取った後に、第１態様における通信方法を実行し、このとき、通知メッセージは、ネットワークのＤＮＮ及び／又はネットワークのサービス・エリアを含み、通知メッセージは、端末のコンフィグレーション情報の更新を通知する。
【００１２】
可能な実施において、モビリティ管理ネットワーク要素がＤＮＮに対応するポリシー情報を取得することは、具体的に、モビリティ管理ネットワーク要素において事前設定されたポリシー情報を取得すること、又はモビリティ管理ネットワーク要素によってポリシー制御ネットワーク要素からポリシー情報を取得すること、又はモビリティ管理ネットワーク要素によってデータ管理ネットワーク要素からポリシー情報を取得することを含む。
【００１３】
第２の態様に従って、本願は、通信方法を提供する。方法は、通信ネットワーク要素が端末リストを取得することを含み、このとき、端末リストは、ネットワークのサービス・エリア内にあってネットワークのデータネットワーク名ＤＮＮにサブスクライブしている端末の識別子を含む。通信ネットワーク要素は、通知メッセージをモビリティ管理ネットワーク要素へ送り、このとき、通知メッセージは、端末リストを含み、通知メッセージは、端末リスト内の端末のコンフィグレーション情報の更新を通知する。更に、通信ネットワーク要素は、モビリティ管理ネットワーク要素から応答メッセージを更に受け取ってよく、このとき、応答メッセージは、更新結果を通知するために使用される。
【００１４】
上記の方法に従って、通信ネットワーク要素は、端末リスト内の端末のコンフィグレーション情報を更新するようにモビリティ管理ネットワーク要素に指示して、端末の設定を更新する。更に、ネットワークのサービス・エリア内にあってネットワークのＤＮＮにサブスクライブしている端末のみのコンフィグレーション情報が更新され、それにより、ネットワークオーバーヘッドは低減され得る。
【００１５】
任意に、通知メッセージは、ポリシー情報を更に含む。
【００１６】
可能な実施において、通信ネットワーク要素は、クエリ要求をモビリティ管理ネットワーク要素へ送り、このとき、クエリ要求は、端末リストを要求するために使用される。通信ネットワーク要素は、モビリティ管理ネットワーク要素から端末リストを受け取る。
【００１７】
可能な実施において、通信ネットワーク要素は、新しい端末がサービス・エリアに入り、新しい端末がＤＮＮにサブスクライブしている場合に、モビリティ管理ネットワーク要素が新しい端末の識別子を通信ネットワーク要素に報告するように、モビリティ管理ネットワーク要素にサブスクライブする。任意に、通信ネットワーク要素は、モビリティ管理ネットワーク要素によって報告された新しい端末の識別子を端末リストに加える。
【００１８】
上記２つの様態において、通信ネットワーク要素は、モビリティ管理ネットワーク要素を使用することによって端末リストを取得することができ、このとき、端末リスト内の端末は、ネットワークのサービス・エリア内にあってネットワークのＤＮＮにサブスクライブしている端末である。
【００１９】
第３の態様に従って、本願は、通信方法を提供する。方法は、ネットワーク露出ネットワーク要素によって、ネットワークの物理カバレッジエリアを含む要求メッセージをアプリケーションデバイスから受け取ることと、ネットワーク露出ネットワーク要素によって、ネットワークの物理カバレッジエリアに基づいてモビリティ管理ネットワーク要素及びネットワークのサービス・エリアを決定することと、ネットワーク露出ネットワーク要素によって、データネットワーク名ＤＮＮ及びネットワークのサービス・エリアを含む更新メッセージをモビリティ管理ネットワーク要素へ送ることとを含む。
【００２０】
上記の方法に従って、ネットワーク露出ネットワーク要素は、サービス・エリアを有するネットワークを構築し、モビリティ管理ネットワーク要素を決定し、更に、更新メッセージをモビリティ管理ネットワーク要素へ送り、それにより、モビリティ管理ネットワーク要素は、ＤＮＮ及びネットワークのサービス・エリアを記憶している。このようにして、ネットワーク構築が完了すると、モビリティ管理ネットワーク要素の設定は同時に更新される。
【００２１】
可能な実施において、ネットワーク露出ネットワーク要素によって、ＤＮＮに対応するポリシー情報をモビリティ管理ネットワーク要素へ送り、かつ／あるいは、ネットワーク露出ネットワーク要素は、ＤＮＮに対応するポリシー情報をデータ管理ネットワーク要素へ送り、かつ／あるいは、ネットワーク露出ネットワーク要素は、ＤＮＮに対応するポリシー情報をポリシー制御ネットワーク要素へ送る。
【００２２】
可能な実施において、ネットワーク露出ネットワーク要素は、ネットワークについての指示情報を更に付加し、このとき、指示情報は、ネットワークがローカル・エリア・データ・ネットワークであることを示す。
【００２３】
第４の態様に従って、本願は、通信方法を提供する。方法は、端末によって、第１ネットワークが特定のエリア内でのみアクセス可能なネットワークであることを示すローカル指示と、第１ネットワークを識別するために使用されるネットワーク識別子とを含むポリシー情報を取得することと、端末によって、ポリシー情報に基づいて、検出されたアプリケーションに関連した第１ネットワークが特定のエリア内でのみアクセス可能なネットワークであることを決定することとを含む。
【００２４】
上記の方法に従って、端末は、アプリケーションに関連した第１ネットワークが特定のエリア内でのみアクセス可能なネットワークであるかどうかを知り、特定のエリア内でのみアクセス可能なネットワークに特有の動作を実行することができる。
【００２５】
可能な実施において、方法は、端末によってネットワーク情報を取得することと、端末がネットワーク情報によって示されるエリア内にあるときに、端末によって、セッション管理プロシージャを開始すると決定することとを更に含む。例えば、端末は、モビリティ管理ネットワーク要素からネットワーク情報を取得してよい。他の可能な実施において、方法は、端末がネットワーク情報を有していないときに、端末によって、セッション管理を開始しないと決定することを更に含む。従って、端末がネットワーク情報を取得するときには、端末は更に、端末の位置及びネットワーク情報に基づいて、セッション管理プロシージャを開始すべきかどうかを判定してよく、あるいは、端末がネットワーク情報を取得しないときには、端末は、特定のエリア内でのみアクセス可能なネットワークのサービス・エリアの外にあり、従ってセッション管理を開始しないと見なされ得る。
【００２６】
上記の説明では、ネットワーク情報は、第１ネットワークのネットワーク識別子と、通信エリア情報とを含み、通信エリア情報は、端末の登録エリアと第１ネットワークのサービス・エリアとの交差領域を示す。
【００２７】
可能な実施において、特定のエリア内でのみアクセス可能な前記ネットワークがローカル・エリア・データ・ネットワークＬＡＤＮであるときに、ネットワーク識別子は、データネットワーク名ＤＮＮであり、あるいは、特定のエリア内でのみアクセス可能なネットワークがローカル・スライス・ネットワークであるときに、ネットワーク識別子は、スライス識別子（例えば、Ｓ−ＮＳＳＡＩ）である。
【００２８】
可能な実施において、ポリシー情報は、ユーザ装置ルート選択ポリシーＵＲＳＰであってよい。代替的に、ポリシー情報は、他のポリシー、例えば、ネットワーク属性ポリシーであってよい。
【００２９】
第５の態様に従って、本願は、装置を提供する。装置は、モビリティ管理ネットワーク要素であってよく、あるいは、チップであってよい。装置は、第１の態様の上記の実施形態を実装する機能を有している。機能は、ハードウェアによって実装されてよく、あるいは、対応するソフトウェアを実行するハードウェアによって実装されてよい。ハードウェア又はソフトウェアは、上記の機能に対応する１つ以上のモジュールを含む。
【００３０】
第６の態様に従って、プロセッサ及びメモリを含む装置が提供される。メモリは、コンピュータ実行可能命令を記憶するよう構成される。装置が動作するときに、プロセッサは、メモリに記憶されているコンピュータ実行可能命令を実行し、それにより、装置は、第１の態様の実施のうちのいずれか１つに従う通信方法を実行する。
【００３１】
第７の態様に従って、本願は、装置を提供する。装置は、通信ネットワーク要素であってよく、あるいは、チップであってよい。装置は、第２の態様の上記の実施形態を実装する機能を有している。機能は、ハードウェアによって実装されてよく、あるいは、対応するソフトウェアを実行するハードウェアによって実装されてよい。ハードウェア又はソフトウェアは、上記の機能に対応する１つ以上のモジュールを含む。
【００３２】
第８の態様に従って、プロセッサ及びメモリを含む装置が提供される。メモリは、コンピュータ実行可能命令を記憶するよう構成される。装置が動作するときに、プロセッサは、メモリに記憶されているコンピュータ実行可能命令を実行し、それにより、装置は、第２の態様の実施のうちのいずれか１つに従う通信方法を実行する。
【００３３】
第９の態様に従って、本願は、装置を提供する。装置は、ネットワーク露出ネットワーク要素であってよく、あるいは、チップであってよい。装置は、第３の態様の上記の実施形態を実装する機能を有している。機能は、ハードウェアによって実装されてよく、あるいは、対応するソフトウェアを実行するハードウェアによって実装されてよい。ハードウェア又はソフトウェアは、上記の機能に対応する１つ以上のモジュールを含む。
【００３４】
第１０の態様に従って、プロセッサ及びメモリを含む装置が提供される。メモリは、コンピュータ実行可能命令を記憶するよう構成される。装置が動作するときに、プロセッサは、メモリに記憶されているコンピュータ実行可能命令を実行し、それにより、装置は、第３の態様の実施のうちのいずれか１つに従う通信方法を実行する。
【００３５】
第１１の態様に従って、本願は、装置を提供する。装置は、端末であってよく、あるいは、チップであってよい。装置は、第４の態様の上記の実施形態を実装する機能を有している。機能は、ハードウェアによって実装されてよく、あるいは、対応するソフトウェアを実行するハードウェアによって実装されてよい。ハードウェア又はソフトウェアは、上記の機能に対応する１つ以上のモジュールを含む。
【００３６】
第１２の態様に従って、プロセッサ及びメモリを含む装置が提供される。メモリは、コンピュータ実行可能命令を記憶するよう構成される。装置が動作するときに、プロセッサは、メモリに記憶されているコンピュータ実行可能命令を実行し、それにより、装置は、第５の態様の実施のうちのいずれか１つに従う通信方法を実行する。
【００３７】
第１３の態様に従って、本願は、コンピュータ可読記憶媒体を更に提供する。コンピュータ可読記憶媒体は命令を記憶し、命令がコンピュータで実行されるときに、コンピュータは、上記の態様で記載されている方法を実行することを可能にされる。
【００３８】
第１４の態様に従って、本願は、命令を含むコンピュータプログラム製品を更に提供する。コンピュータプログラム製品がコンピュータで実行されるときに、コンピュータは、上記の態様で記載されている方法を実行することを可能にされる。
【００３９】
第１５の態様に従って、本願は、システムを更に提供する。システムは、上記の方法実施形態又は装置実施形態のうちのいずれか１つにおけるモビリティ管理ネットワーク要素及び通信ネットワーク要素を含む。
【００４０】
加えて、第５乃至第１５の態様の実施のうちのいずれか１つによってもたらされる技術的効果については、第１乃至第３の態様の異なる実施によってもたらされる技術的効果を参照されたい。詳細は、ここで再び記載されない。
【００４１】
本願のこれら及び他の態様は、実施形態の下記の説明から、より容易に明らかであろう。
【図面の簡単な説明】
【００４２】
【図１】本願に従う可能なネットワークアーキテクチャの概略図である。
【図２】本願に従う他の可能なネットワークアーキテクチャの概略図である。
【図３】本願に従う通信方法のフローチャートである。
【図４】本願に従う他の通信方法のフローチャートである。
【図５】本願に従うネットワーク構築方法のフローチャートである。
【図６】本願に従う他のネットワーク構築方法のフローチャートである。
【図７】本願従う装置の概略図である。
【図８】本願に従う他の装置の概略図である。
【図９】本願に従う他の装置の概略図である。
【図１０】本願に従う他の装置の概略図である。
【図１１】本願に従う通信方法のフローチャートである。
【図１２】本願に従う通信装置の概略図である。
【発明を実施するための形態】
【００４３】
本願の目的、技術的解決法、及び利点をより明らかにするために、下記は、添付の図面を参照して詳細に本願について更に記載する。方法実施形態における具体的な動作方法はまた、装置実施形態又はシステム実施形態にも適用されてよい。本願の明細書において、別なふうに述べられない限りは、「複数の〜」は、２つ以上を意味する。
【００４４】
本願の実施形態で記載されるネットワークアーキテクチャ及びサービスシナリオは、本願の実施形態における技術的解決法について明らかに記載されるよう意図され、本願の実施形態で提供される技術的解決法に対する限定を構成しない。当業者であれば、ネットワークアーキテクチャの進化及び新しいサービスシナリオの出現により、本願の実施形態で提供される技術的解決法はまた、同様の技術的問題にも適用可能であると認識し得る。
【００４５】
図１は、本願が適用される可能なネットワークアーキテクチャの概略図である。ネットワークアーキテクチャは、端末及びモビリティ管理ネットワーク要素を含む。任意に、ネットワークアーキテクチャは、通信ネットワーク要素を更に含む。
【００４６】
端末は、無線トランシーバ機能を備えたデバイスであり、屋内若しくは屋外デバイス、手持ち式デバイス又は車載デバイスを含め、陸地に配置されてよく、あるいは、水上に（例えば、船上に）配置されてよく、あるいは、空中に（例えば、飛行機、風船、又は衛星に）配置されてよい。端末は、携帯電話機（mobile  phone）、タブレットコンピュータ（pad）、無線トランシーバ機能を備えたコンピュータ、仮想現実（virtual  reality，ＶＲ）端末、拡張現実（augmented  reality，ＡＲ）端末、産業制御（industrial  control）における無線端末、自動運転（self  driving）における無線端末、遠隔医療（remote  medical）における無線端末、スマートグリッド（smart  grid）における無線端末、輸送安全性（transportation  safety）における無線端末、スマートシティ（smart  city）における無線端末、スマートホーム（smart  home）における無線端末、又はそのようなものであってよい。
【００４７】
モビリティ管理ネットワーク要素は主に、移動体ネットワークにおけるモビリティ管理、例えば、ユーザ位置更新、ユーザネットワーク登録、及びユーザハンドオーバーに関与する。例えば、モビリティ管理ネットワーク要素は、５Ｇにおけるアクセス及びモビリティ管理機能（access  and  mobility  management  function，ＡＭＦ）ネットワーク要素であってよい。
【００４８】
通信ネットワーク要素は、例えば、データ管理ネットワーク要素、ポリシー制御ネットワーク要素、又はネットワーク露出ネットワーク要素であってよい。
【００４９】
データ管理ネットワーク要素は、サブスクリプション情報及び認証／認可情報などのユーザデータを記憶するよう構成される。例えば、データ管理ネットワーク要素は、５Ｇにおける統合データ管理（Unified  Data  Management，ＵＤＭ）ネットワーク要素であってよい。
【００５０】
ポリシー制御ネットワーク要素は、モビリティ管理ネットワーク要素のためのポリシー又はそのようなものを供給することに関与する。例えば、ポリシー制御ネットワーク要素は、５Ｇにおけるポリシー制御機能（Policy  Control  Function，ＰＣＦ）ネットワーク要素であってよい。
【００５１】
ネットワーク露出ネットワーク要素は、移動体ネットワークによってサードパーティへ、例えば、垂直産業ユーザ、エッジコンピューティング、又はアプリケーションサーバへ提供されるサービス及び機能を安全に提供することに関与する。例えば、ネットワーク露出ネットワーク要素は、５Ｇにおけるネットワーク露出機能（network  exposure  function，ＮＥＦ）ネットワーク要素であってよい。
【００５２】
上記の機能は、ハードウェアデバイス内のネットワークコンポーネントであってよく、あるいは、専用のハードウェアで実行されるソフトウェア機能又はプラットフォーム（例えば、クラウドプラットフォーム）上でインスタンス化された仮想化機能であってよいことが理解され得る。
【００５３】
記載の便宜上、本願の続く例の説明では、モビリティ管理ネットワーク要素はＡＭＦネットワーク要素であり、データ管理はＵＤＭネットワーク要素であり、ポリシー制御ネットワーク要素はＰＣＦネットワーク要素であり、ネットワーク露出ネットワーク要素はＮＥＦネットワーク要素である。その上、記載の便宜上、ＡＭＦネットワーク要素、ＵＤＭネットワーク要素、ＰＣＦネットワーク要素、及びＮＥＦネットワーク要素は夫々、ＡＭＦ、ＵＤＭ、ＰＣＦ、及びＮＥＦと簡潔に呼ばれる。
【００５４】
図２は、端末、無線アクセスネットワーク（radio  access  network）デバイス、及びコアネットワークの制御プレーンネットワーク要素を含む、図１に示されたシステムアーキテクチャに基づく具体的なシステムアーキテクチャを示す。コアネットワークの制御プレーンネットワーク要素は、ＡＭＦ、ＵＤＭ、ＰＣＦ、及びＮＥＦを含む。任意に、システムアーキテクチャは、アプリケーションデバイスを更に含んでよい。図２において、アプリケーションデバイスは、５Ｇにおけるアプリケーション機能（application  function，ＡＦ）デバイスであり、説明のための例として使用される。
【００５５】
端末、ＡＭＦ、ＵＤＭ、ＮＥＦ、及びＰＣＦの機能については、上記の説明を参照されたい。詳細は、ここで再び記載されない。
【００５６】
アプリケーションデバイスは、第３世代パートナーシッププロジェクト（3rd  Generation  Partnership  Project，３ＧＰＰ）ネットワークのためのサービスを提供すること、例えば、サービスルートに作用し、ＰＣＦと相互作用してポリシー制御を実行することに関与する。アプリケーションデバイスはＡＦデバイスであり、本願では説明のために以下で例として使用される。
【００５７】
ＲＡＮデバイスは、端末のための無線通信機能を提供するデバイスである。ＲＡＮデバイスは基地局を含み、具体的には、しかし制限なしに、例えば、５Ｇにおける次世代基地局（g  node  B，ｇＮＢ）、エボルブド・ノードＢ（evolved  node  B，ｅＮＢ）、無線ネットワークコントローラ（radio  network  controller，ＲＮＣ）、ノードＢ（node  B，ＮＢ）、基地局コントローラ（base  station  controller，ＢＳＣ）、ベース・トランシーバ・ステーション（base  transceiver  station，ＢＴＳ）、ホーム基地局（例えば、ホーム・エボルブド・ノードＢ又はホーム・ノードＢ，ＨＭＢ）、ベースバンドユニット（BaseBand  Unit，ＢＢＵ）、送信／受信ポイント（transmitting  and  receiving  point，ＴＲＰ）、送信ポイント（transmitting  point，ＴＰ）、又はモバイル交換センターを含む。
【００５８】
図１及び図２を参照して、下記は、背景で述べた課題を解決するように、本願に従う通信方法について具体的に記載する。本願は、図１及び図２に示されたシステムアーキテクチャに限られず、６Ｇシステムアーキテクチャなどの他の将来の通信システムに更に適用されてもよい。その上、本願で使用される上記のネットワーク要素は、将来の通信システムにおいて同じ機能を保ちながら、別の名称を有する可能性がある。
【００５９】
本願において、カバレッジエリアを有しているローカル・エリア・データ・ネットワークの構築中に、ＤＮＮ及びサービス・エリアが、ローカル・エリア・データ・ネットワークに割り当てられ得る。ＤＮＮは、ローカル・エリア・データ・ネットワークを識別するために使用され、サービス・エリアは、ローカル・エリア・データ・ネットワークのカバレッジエリアを表すために使用される。その上、ＤＮＮ及びサービス・エリアは更に、ＡＭＦで設定される。
【００６０】
更に、端末のポリシー情報は、ＰＣＦ、ＵＤＭ、及びＡＭＦの間で１つ以上のネットワーク要素で設定されてよい。代替的に、端末のポリシー情報は、端末で設定されてもよい。端末のポリシー情報は、例えば、アプリケーションプログラム（ＡＰＰ）、ＤＮＮ、セッション及びサービス連続モード（Session  and  Service  Continuity  mode，ＳＳＣモード）、スライス（slice）、又はローカル指示の間の対応であってよい。ローカル指示は、ネットワークがローカル・エリア・データ・ネットワークであるかどうかを示す。
【００６１】
例において、ポリシー情報は、ＡＰＰ、ＤＮＮ、ＳＳＣモード、スライス、及びローカル指示の間の対応であってよく、あるいは、ＡＰＰ、ＤＮＮ、及びローカル指示の間の対応であってよい。例えば、ポリシー情報は、ＵＥルート選択ポリシー（UE  route  selection  policy，ＵＲＳＰ）であってよい。
【００６２】
代替的に、ローカル指示（ローカル・エリア・データ・ネットワークの指示情報とも呼ばれ得る）はまた、ポリシー情報のＤＮＮ情報に含まれてもよい。更に代替的には、ローカル指示は、ＵＲＳＰとは異なる他のポリシー情報において運ばれてもよい。例えば、他のポリシー情報は、ネットワーク属性ポリシーであってよい。ネットワーク属性ポリシーは、ネットワークが特定のエリア内でのみアクセス可能なネットワークであるかどうかを示す情報を含む。例えば、ネットワーク属性ポリシーは、ネットワーク識別子とローカル指示との間の対応を含む。
【００６３】
ローカル指示は、異なる方法で実装されてよい。例えば、ローカル指示が運ばれる場合には、それは、ネットワークがローカル・エリア・データ・ネットワークであることを示し、あるいは、ローカル指示が運ばれない場合には、それは、ネットワークがローカル・エリア・データ・ネットワークでないことを示す。代替的に、第１の値を有するローカル指示は、ネットワークがローカル・エリア・データ・ネットワークであることを示し、あるいは、第２の値を有するローカル指示は、ネットワークがローカル・エリア・データ・ネットワークでないことを示す。これは、ここで本願において制限されない。
【００６４】
ローカル・エリア・データ・ネットワークの上記の構築及び設定は、ネットワーク管理システムによって、又はＮＥＦによって実行されてよいことが留意されるべきである。２つの構築及び設定方法は、本明細書中以下で具体的に記載され、詳細はここでは記載されない。
【００６５】
本願におけるローカル・エリア・データ・ネットワークはＬＡＤＮであってよく、あるいは、ローカル・スライス・ネットワーク、例えば、企業によって構築されるスライス・ネットワークであってよいことが更に留意されるべきである。ローカル・スライス・ネットワークは、ローカル・スライス・ネットワークのカバレッジエリア内のユーザがローカル・スライス・ネットワークにアクセスすることを可能にする。例えば、ローカル・スライス・ネットワークは、企業のカバレッジエリア内のユーザがローカル・スライス・ネットワークにアクセスすることを可能にする。ローカル・エリア・データ・ネットワークがＬＡＤＮであるとき、ネットワークはＤＮＮによって識別され得る。すなわち、ネットワーク識別子はＤＮＮである。ローカル・エリア・データ・ネットワークがローカル・スライス・ネットワークであるときに、ネットワークはスライス識別子、例えば、単一ネットワークスライス選択支援情報（single  network  slice  selection  assistance  information，Ｓ−ＮＳＳＡＩ）によって識別され得る。すなわち、ネットワーク識別子はスライス識別子である。下記の実施形態は、一例としてＬＡＤＮを使用することによって記載される。なお、本願はまた、ローカル・スライス・ネットワークのしなりにも適用可能であり得る。
【００６６】
上記の構築及び構成がローカル・エリア・データ・ネットワークで実行された後、ローカル・エリア・データ・ネットワークのカバレッジエリア内の端末の設定が、本願では更に更新され得る。
【００６７】
図３は、本願に従う通信方法を示す。通信方法は、次のステップを含みながら、端末の設定を更新するために使用されてよい。
【００６８】
ステップ３００：通信ネットワーク要素は、通知メッセージをＡＭＦへ送り、ＡＭＦは、通信ネットワーク要素から通知メッセージを受け取る。
【００６９】
通知メッセージは、端末のコンフィグレーション情報の更新を通知する。具体的に、通知メッセージは、ネットワークのカバレッジエリア内の一部又は全ての端末のコンフィグレーション情報を更新することをＡＭＦに通知する。コンフィグレーション情報は、端末のポリシー情報及び／又はネットワーク情報を含む。
【００７０】
ステップ３００は、任意のステップであることが留意されるべきである。ステップ３００が実行されるとき、通信ネットワーク要素は、端末のコンフィグレーション情報を更新するようＡＭＦをトリガする。通信ネットワーク要素は、ＵＤＭ、ＰＣＦ、又はＮＥＦであってよい。更に、通知メッセージは、ネットワークのＤＮＮを更に運ぶか、あるいは、ネットワークのサービス・エリアを運ぶか、あるいは、ＤＮＮ及びサービス・エリアを運んでよい。
【００７１】
ステップ３００がスキップされるとき、ステップ３０１は直接実行され、すなわち、ＡＭＦは、端末のコンフィグレーション情報の更新を直接トリガする。例えば、ＡＭＦは、端末のコンフィグレーション情報の更新を規則的にトリガしてよい。この場合に、通信ネットワーク要素は、通知メッセージを送る必要がなく、すなわち、ステップ３００は実行される必要がない。
【００７２】
ステップ３０１：ＡＭＦは、ネットワークのサービス・エリア及びＤＮＮに基づいて端末リストを決定する。
【００７３】
ネットワークのサービス・エリアは、ローカル・エリア・データ・ネットワークのサービス・エリア、例えば、ＬＡＤＮのサービス・エリアである。
【００７４】
サービス・エリア及びＤＮＮは、ネットワーク構築中にＡＭＦで設定されていることが留意されるべきである。
【００７５】
従って、ステップ３０１で、ＡＭＦがネットワークのサービス・エリア及びＤＮＮを取得する方法は、次のとおりであってよい。
【００７６】
ステップ３００が実行されるとき、ステップ３００での通知メッセージがＤＮＮを運ぶ場合には、ＡＭＦは通知メッセージからＤＮＮを取得し、次いで、ＤＮＮに基づいて、ＤＮＮに対応するローカルに記憶されたサービス・エリアを取得してよい。このようにして、ＡＭＦは、ＤＮＮ及びサービス・エリアを取得する。
【００７７】
ステップ３００が実行されるとき、ステップ３００での通知メッセージがサービス・エリアを運ぶ場合に、ＡＭＦは通知メッセージからサービス・エリアを取得し、次いで、サービス・エリアに基づいて、サービス・エリアに対応するローカルに記憶されたＤＮＮを取得してよい。このようにして、ＡＭＦは、ＤＮＮ及びサービス・エリアを取得する。１つ以上のＤＮＮが取得されてよく、これは本願において制限されない。
【００７８】
ステップ３００が実行されるとき、ステップ３００での通知メッセージがＤＮＮ及びサービス・エリアを運ぶ場合に、ＡＭＦは、通知メッセージからＤＮＮ及びサービス・エリアを直接取得してよい。
【００７９】
ステップ３００がスキップされるとき、ＡＭＦは、ローカルに記憶されているＤＮＮ及びサービス・エリアを直接取得する。１つ以上のＤＮＮが取得されてよく、これは本願において制限されない。
【００８０】
上記の方法のうちのいずれか１つを使用することによってＤＮＮ及びサービス・エリアを取得した後、ＡＭＦは端末リストを決定してよく、このとき、端末リストは１つ以上の端末の識別子を含む。端末リストを取得する複数の方法が存在する。例において、端末リストを決定する３つの方法が、以下で与えられる。
【００８１】
方法１：ＡＭＦは、ネットワークのサービス・エリア内にあってワイルドカードＤＮＮにサブスクライブしている端末を決定し、それらの端末の識別子のリストを端末リストとして使用する。
【００８２】
端末がワイルドカードＤＮＮにサブスクライブしていることは、端末が全てのＤＮＮにアクセス可能であることを意味するか、あるいは、端末が全てのＤＮＮにサブスクライブしていることとして理解される。
【００８３】
例えば、ＡＭＦは、ネットワークのサービス・エリア内の端末が端末１、端末２、及び端末３を含み、そのうち端末１及び端末２がワイルドカードＤＮＮにサブスクライブしており、端末３がワイルドカードＤＮＮにサブスクライブしていない、と決定する。この場合に、ＡＭＦによって決定された端末リストは、｛端末１の識別子，端末２の識別子｝である。
【００８４】
方法２：ＡＭＦは、ネットワークのサービス・エリア内にあってワイルドカードＤＮＮの代わりにネットワークのＤＮＮにサブスクライブしている端末を決定し、それらの端末の識別子のリストを端末リストとして使用する。
【００８５】
例えば、ネットワークのＤＮＮは、ＤＮＮ０と表される。
【００８６】
ＡＭＦは、ネットワークのサービス・エリア内の端末が端末１、端末２、及び端末３を含み、そのうち端末１がワイルドカードＤＮＮにサブスクライブしており、端末２がワイルドカードＤＮＮの代わりにＤＮＮ１及びＤＮＮ２にサブスクライブしており、端末３がワイルドカードＤＮＮの代わりにＤＮＮ０及びＤＮＮ１にサブスクライブしている、と決定する。この場合に、ＡＭＦによって決定された端末リストは、｛端末３の識別子｝である。
【００８７】
方法３：ＡＭＦは、ネットワークのサービス・エリア内にあってワイルドカードＤＮＮにサブスクライブしている端末を決定し、ネットワークのサービス・エリア内にあってワイルドカードＤＮＮの代わりにネットワークのＤＮＮにサブスクライブしている端末を決定し、決定された端末の識別子のリストと端末リストとして使用する。
【００８８】
方法３は、上記の方法１及び方法２を組み合わせる方法である。
【００８９】
例えば、ネットワークのＤＮＮは、ＤＮＮ０と表される。
【００９０】
ＡＭＦは、ネットワークのサービス・エリア内の端末が端末１、端末２、及び端末３を含み、そのうち端末１がワイルドカードＤＮＮにサブスクライブしており、端末２がワイルドカードＤＮＮの代わりにＤＮＮ１及びＤＮＮ２にサブスクライブしており、端末３がワイルドカードＤＮＮの代わりにＤＮＮ０及びＤＮＮ１にサブスクライブしている、と決定する。この場合に、ＡＭＦによって決定された端末リストは、｛端末１の識別子，端末３の識別子｝である。
【００９１】
上記の方法のうちのどの１つが使用されるかに関わらず、ＡＭＦによって最終的に決定される端末リストに含まれている如何なる端末も、次を満足する。端末は、サービス・エリア内にあり、端末は、ネットワークのＤＮＮにサブスクライブしている。
【００９２】
ステップ３０２：ＡＭＦは、ＤＮＮに対応するポリシー情報を取得し、端末リスト内の各端末に対応するネットワーク情報を決定する。
【００９３】
例えば、ポリシー情報は、ＵＲＳＰであってよい。
【００９４】
ＡＭＦがポリシー情報を取得する方法は、次のとおりであってよい。
【００９５】
方法１：ＡＭＦは、ローカルに記憶されているポリシー情報を取得する。
【００９６】
例えば、ポリシー情報がＡＭＦで事前設定されているとき、ＡＭＦは、ローカルに記憶されているポリシー情報を取得してよい。
【００９７】
方法２：ＡＭＦは、ＰＣＦからポリシー情報を取得する。
【００９８】
例えば、ポリシー情報がネットワーク構築中にＰＣＦで設定されるとき、ＡＭＦは、ＰＣＦからポリシー情報を取得してよい。
【００９９】
他の例として、ポリシー情報がネットワーク構築中にＵＤＭで設定されるがＰＣＦで設定されないときに、ＡＭＦがＰＣＦにポリシー情報を要求する場合に、ＰＣＦは、最初にＵＤＭからポリシー情報を取得し、次いでポリシー情報をＡＭＦへ送ってよい。
【０１００】
方法３：ＡＭＦは、ＵＤＭからポリシー情報を取得する。
【０１０１】
例えば、ポリシー情報がネットワーク構築中にＵＤＭで設定されるとき、ＡＭＦは、ＵＤＭからポリシー情報を取得してよい。
【０１０２】
他の例として、ポリシー情報がネットワーク構築中にＰＣＦで設定されるがＵＤＭで設定されないときに、ＡＭＦがＵＤＭにポリシー情報を要求する場合に、ＵＤＭは、最初にＰＣＦからポリシー情報を取得し、次いでポリシー情報をＡＭＦへ送ってよい。
【０１０３】
端末リスト内の各端末に対応するネットワーク情報をＡＭＦによって決定する方法は、次を含む。
【０１０４】
端末リスト内の各端末について、端末の登録エリアが取得され、端末の登録エリアとネットワークのサービス・エリアとの交差が端末の通信エリアとして決定される。次いで、ネットワークのＤＮＮ及び端末の通信エリアは、端末のネットワーク情報として決定される。すなわち、端末のネットワーク情報は、ネットワークのＤＮＮと、端末の通信エリアとを含む。端末のネットワーク情報は、ＬＡＤＮ情報とも呼ばれ得る。
【０１０５】
端末の登録エリア及びＬＡＤＮのサービス・エリアが交差を有さないとき、端末の通信エリアはヌルであることが留意されるべきである。相応して、端末のネットワーク情報（すなわち、ＬＡＤＮ情報）はヌルである。
【０１０６】
端末リスト内の端末の登録エリアは、同じであってよく、あるいは、異なってもよいことが留意されるべきである。端末リスト内の全ての端末が同じ登録エリアを有しているとき、端末リスト内の全ての端末は、同じネットワーク情報を有している。端末リスト内の全ての端末が同じ登録エリアを有しているわけではないとき、端末リスト内の全ての端末は、同じネットワーク情報を有しているわけではない。
【０１０７】
本願では、端末のポリシー情報及びネットワーク情報は、まとめてコンフィグレーション情報と呼ばれ得る。すなわち、端末のコンフィグレーション情報は、ポリシー情報及びネットワーク情報を含む。
【０１０８】
ステップ３０３：ＡＭＦは、端末に対応するポリシー情報及びネットワーク情報を端末リスト内の端末へ送る。
【０１０９】
ステップ３０３において、ＡＭＦは、決定された端末リスト内の各端末のコンフィグレーション情報（ポリシー情報及びネットワーク情報を含む）を端末へ送る。
【０１１０】
端末のネットワーク情報（すなわち、ＬＡＤＮ情報）がヌルであるとき、ステップ３０３で、ＡＭＦは、ポリシー情報のみを端末リスト内の端末へ送る。相応して、端末リスト内の端末は、ＡＭＦからポリシー情報を取得する。任意に、他の実施形態では、ポリシー情報は、代替的に、端末で設定されてよく、端末は、設定された情報からポリシー情報を取得してよい。
【０１１１】
ステップ３００乃至ステップ３０３又はステップ３０１乃至ステップ３０３に従って、ＡＭＦは、最初に端末リストを決定し、次いでコンフィグレーション情報（ポリシー情報及びネットワーク情報を含む）を端末リスト内の端末へ送り、それにより、端末は、受け取られたコンフィグレーション情報に基づいて更新を実行して、端末の設定を更新する。その上、ＡＭＦは、ネットワークのサービス・エリア内にあってネットワークのＤＮＮにサブスクライブしている端末のコンフィグレーション情報のみを更新し、それにより、ネットワークオーバーヘッドは低減され得る。
【０１１２】
図４は、本願に従う他の通信方法を示す。通信方法は、次のステップを含みながら、端末のコンフィグレーション情報を更新するために使用されてよい。
【０１１３】
ステップ４０１：通信ネットワーク要素は、クエリ要求をＡＭＦへ送り、ＡＭＦは、通信ネットワーク要素からクエリ要求を受け取る。
【０１１４】
通信ネットワーク要素は、ＵＤＭ、ＰＣＦ、又はＮＥＦであってよい。クエリ要求は、端末リストを要求するために使用される。
【０１１５】
任意に、クエリ要求は、ＤＮＮ及び／又はサービス・エリアを含む。
【０１１６】
ステップ４０２：ＡＭＦは、サービス・エリア及びＤＮＮに基づいて端末リストを決定する。
【０１１７】
クエリ要求を受け取った後、ＡＭＦはサービス・エリア及びＤＮＮを決定する。
【０１１８】
サービス・エリア及びＤＮＮは、ネットワーク構築中にＡＭＦで設定されている。従って、ＡＭＦがネットワークのサービス・エリア及びＤＮＮを取得する方法は、次のとおりであってよい。
【０１１９】
クエリ要求がＤＮＮを運ぶ場合に、ＡＭＦは、クエリ要求からＤＮＮを取得し、次いでＤＮＮに基づいて、ＤＮＮに対応するローカルに記憶されているサービス・エリアを取得してよい。このようにして、ＡＭＦはＤＮＮ及びサービス・エリアを取得する。
【０１２０】
クエリ要求がサービス・エリアを運ぶ場合に、ＡＭＦは、クエリ要求からサービス・エリアを取得し、次いでサービス・エリアに基づいて、サービス・エリアに対応するローカルに記憶されているＤＮＮを取得してよい。このようにして、ＡＭＦは、ＤＮＮ及びサービス・エリアを取得する。１つ以上のＤＮＮが取得されてよく、これは本願において制限されない。
【０１２１】
クエリ要求がＤＮＮ及びサービス・エリアを運ぶ場合に、ＡＭＦは、クエリ要求からＤＮＮ及びサービス・エリアを直接取得してよい。
【０１２２】
更に、ＤＮＮ及びサービス・エリアを決定した後、ＡＭＦは端末リストを決定する。具体的な方法は、ステップ３０１で端末リストを決定する上記の方法と同じであり、上記の方法が参照され得る。
【０１２３】
ステップ４０３：ＡＭＦは、端末リストを通信ネットワーク要素へ送る。
【０１２４】
ステップ４０４：通信ネットワーク要素は、ＡＭＦにサブスクライブし、それにより、新しい端末がサービス・エリアに入り、新しい端末がネットワークのＤＮＮにサブスクライブしている場合に、ＡＭＦは、新しい端末の識別子を通信ネットワーク要素に報告する。
【０１２５】
ＡＭＦが、報告条件を満足する新しい端末の識別子を決定する方法は、端末がサービス・エリア内にあってネットワークのＤＮＮにサブスクライブしており、端末が以前にサービス・エリアから出ている場合に、ＡＭＦは、端末が報告条件を満足する新しい端末である、と決定する。
【０１２６】
ステップ４０５：ＡＭＦは、新しい端末の識別子を通信ネットワーク要素に報告する。
【０１２７】
実施において、ＡＭＦは、報告条件を満足する１つ以上の端末の識別子を規則的に報告してよい。例えば、ステップ４０４で、通信ネットワーク要素は、ＡＭＦにサブスクライブしているときにタイマを運んでよく、このとき、タイマは、規則的な報告の時間インターバルをＡＭＦに知らせるために使用される。他の例として、タイマはまた、ＡＭＦで事前設定されてもよい。これは、本願において制限されない。
【０１２８】
他の実施では、ＡＭＦは、代替的に、新しい端末が報告条件を満足すると決定すると直ちに、新しい端末の識別子を通信ネットワーク要素に報告してよい。
【０１２９】
その上、複数の端末の識別子が一度に報告されるべきである場合に、端末の識別子は、端末リストに加えられ、次いで通信ネットワーク要素に報告されてよいことが留意されるべきである。
【０１３０】
ステップ４０６：通信ネットワーク要素は、新しい端末の識別子を端末リストに加える。
【０１３１】
実施において、ステップ４０４乃至ステップ４０６は、任意のステップであることが留意されるべきである。すなわち、ステップ４０４乃至ステップ４０６は、代替的に、スキップされてもよい。
【０１３２】
他の実施では、ステップ４０４及びステップ４０１はまた、１つのステップにまとめられてもよく、すなわち、ステップ４０１でクエリ要求を送るときに、通信ネットワーク要素は更に、ＡＭＦにサブスクライブする。
【０１３３】
例えば、ステップ４０４乃至ステップ４０６が実行されるとき、以下は、この解決法を理解するのを助けるために、説明のために具体例を提供する。ステップ４０１乃至ステップ４０３に従って、通信ネットワーク要素は、具体的に｛端末１の識別子，端末２の識別子，端末３の識別子｝である端末リストを受け取る、と仮定される。次いで、ＡＭＦは更に、端末４の識別子を報告する。この場合に、ＡＭＦは、端末４の識別子を端末リストに加え、更新された端末リストは、｛端末１の識別子，端末２の識別子，端末３の識別子，端末４の識別子｝である。
【０１３４】
ステップ４０１乃至ステップ４０３、又はステップ４０１乃至ステップ４０６に従って、通信ネットワーク要素は端末リストを取得し得る。
【０１３５】
確かに、上記は、通信ネットワーク要素が端末リストを取得する１つの実施方法にすぎない。実際の応用では、通信ネットワーク要素は、他の方法を使用することによって端末リストを取得してもよい。これは、本願において制限されない。
【０１３６】
次いで、ステップ４０７が実行される。
【０１３７】
ステップ４０７：通信ネットワーク要素は、通知メッセージをＡＭＦへ送り、ＡＭＦは、通信ネットワーク要素から通知メッセージを受け取る。
【０１３８】
通知メッセージは、端末リスト内の端末のコンフィグレーション情報の更新を通知する。
【０１３９】
通知メッセージに含まれる端末リストは、ステップ４０１乃至ステップ４０３を用いることによって決定された端末リスト、又はステップ４０１乃至ステップ４０６を用いることによって決定され端末リストである。
【０１４０】
通知メッセージは、端末リストを含む。任意に、通知メッセージは、ＤＮＮ及び／又はサービス・エリアを更に含む。任意に、通知メッセージは、ポリシー情報を更に含む。
【０１４１】
ステップ４０８：ＡＭＦは、ポリシー情報及びネットワーク情報を取得する。
【０１４２】
通知メッセージを受け取ると、ＡＭＦは、端末のコンフィグレーション情報が更新される必要があると決定する。従って、ＡＭＦは、端末リスト内の端末のコンフィグレーション情報を決定する必要がある。
【０１４３】
通知メッセージがポリシー情報を含む場合に、ＡＭＦは、通知メッセージからポリシー情報を取得する。通知メッセージがポリシー情報を含まない場合に、ＡＭＦは、ステップ３０２で記載された３つの方法のうちのいずれか１つに従って、ポリシー情報を取得してよい。
【０１４４】
更に、ＡＭＦが端末リスト内の端末のネットワーク情報を取得する方法については、ステップ３０２で記載された方法を参照されたい。詳細は、ここで再び記載されない。
【０１４５】
ステップ４０９：ＡＭＦは、ポリシー情報及びネットワーク情報を端末リスト内の端末へ送る。
【０１４６】
ステップ４０９については、ステップ３０３で記載された上記の方法を参照されたい。詳細は、ここで再び記載されない。
【０１４７】
ステップ４１０は、ＡＭＦは、応答メッセージを通信ネットワーク要素へ送り、通信ネットワーク要素は、ＡＭＦから応答メッセージを受け取る。
【０１４８】
応答メッセージは、更新結果を通知する。例えば、更新結果は、更新の成功、更新の失敗、又はそのようなものである。
【０１４９】
ステップ４１０は、任意のステップであることが留意されるべきである。その上、ステップ４１０は、ステップ４０７の後のいずれのステップで起こってもよい。
【０１５０】
ステップ４０１乃至ステップ４０３及びステップ４０７乃至ステップ４１０、又はステップ４０１乃至ステップ４１０に従って、通信ネットワーク要素は、最初に、ＡＭＦを使用することによって端末リストを取得し、次いで、端末リストを通知メッセージに加え、通知メッセージをＡＭＦへ送って、ＡＭＦに端末リスト内の端末の設定を更新するように通知し、それによって端末の設定を更新する。その上、ＡＭＦは、ネットワークのサービス・エリア内にあってネットワークのＤＮＮにサブスクライブしている端末のコンフィグレーション情報のみを更新し、それにより、ネットワークオーバーヘッドは低減され得る。
【０１５１】
この時点で、図３又は図４の方法に従って、ネットワークのカバレッジエリア内の端末は、ネットワーク情報及びポリシー情報を取得する。端末がＡＰＰ（ＡＰＰは、新たに構築されたネットワークにアクセスすることができ、例えば、スタジアムの主催者によって構築されたライブスポーツＡＰＰである）を起動するとき、ＡＰＰに対応するＤＮＮ、スライス、又はＳＳＣモードなどの情報は、ポリシー情報に基づいて決定されてよく、次いで、ローカル指示に基づいて、ＡＰＰがアクセスするネットワークが特定のエリア内でのみアクセス可能なネットワークであることが決定される。次いで、端末は、ネットワーク情報及び端末の位置に基づいて、端末がネットワークのカバレッジエリア内にあるかどうかを判定する。端末がネットワークのカバレッジエリア内にあるとき、端末は、サービス伝送を実行するために、セッション確立プロシージャを開始するか、あるいは、既存のセッションを再利用してよい。
【０１５２】
すなわち、端末がＡＰＰを検出するとき（例えば、ユーザが端末でＡＰＰを起動するとき）、端末は、ＡＰＰに対応するサービス・パケットを送信するために、ＡＰＰに関連したネットワーク識別子（例えば、ＤＮＮ又はＳ−ＮＳＳＡＩ）を決定する必要がある。例えば、ポリシー情報を取得した後、端末は、ポリシー情報内のローカル指示に基づいて、ＡＰＰがアクセスするネットワークが特定のエリア内でのみアクセス可能なネットワークであるかどうかを知る。
【０１５３】
上述されたように、端末の登録エリア及びＬＡＤＮのサービス・エリアが交差を有さないとき、端末のネットワーク情報はヌルである。従って、端末にはネットワーク情報が存在しないことがある。
【０１５４】
端末にネットワーク情報がないとき、端末は、端末がＬＡＤＮのサービス・エリアの外にあるとみなし、従って、セッション管理を開始しない。すなわち、端末にネットワーク情報がないとき、端末は、セッション管理を開始しない。
【０１５５】
端末が、ポリシー情報内のローカル指示に基づいて、ＡＰＰがアクセスするネットワークが特定のエリア内でのみアクセス可能なネットワークであると知り、端末にネットワーク情報があるとき、端末は、ネットワーク情報及び端末の位置に基づいて、端末がＬＡＤＮのサービス・エリア内にあるかどうかを判定する。端末がＬＡＤＮのサービス・エリア内にある場合には、端末はセッション管理を開始し、あるいは、端末がＬＡＤＮのサービス・エリアの外にある場合には、端末はセッション管理を開始しない。
【０１５６】
セッション管理プロシージャは、セッション確立プロシージャ、又はセッション再利用を通じてサービス伝送を実施するプロセスであってよい。サービス伝送プロセスは、端末が既存のセッションでＡＰＰのサービス・パケットを送信することを意味する。再利用されたセッションが非アクティブ状態にあるとき、セッション管理プロシージャは、セッションアクティブ化プロシージャを更に含む。
【０１５７】
従って、本願は、図１１に示されるように、通信方法を更に開示する。方法は、次のステップを含む。
【０１５８】
ステップ１１０１：端末は、第１ネットワークが特定のエリア内でのみアクセス可能なネットワークであることを示すローカル指示と、第１ネットワークを識別するために使用されるネットワーク識別子とを含むポリシー情報を取得する。
【０１５９】
ステップ１１０２：端末は、ポリシー情報に基づいて、検出されたアプリケーションに関連した第１ネットワークが特定のエリア内でのみアクセス可能なネットワークであることを決定する。
【０１６０】
上記の方法に従って、端末は、アプリケーションに関連した第１ネットワークが特定のエリア内でのみアクセス可能なネットワークであるかどうかを知り、特定のエリア内でのみアクセス可能なネットワークに特有の動作を実行することができる。
【０１６１】
可能な実施において、方法は、端末によってネットワーク情報を取得することと、端末がネットワーク情報によって示されるエリア内にあるときに、端末によって、セッション管理プロシージャを開始すると決定することとを更に含む。例えば、端末は、モビリティ管理ネットワーク要素からネットワーク情報を取得してよい。他の可能な実施では、方法は、端末がネットワーク情報を有していないときに、端末によって、セッション管理を開始しないと決定することを更に含む。従って、端末がネットワーク情報を取得するとき、端末は、端末の位置及びネットワーク情報に基づいて、セッション管理プロシージャを開始すべきかどうかを更に決定し、あるいは、端末がネットワーク情報を取得しないとき、端末は、特定のエリア内でのみアクセス可能なネットワークのサービス・エリアの外にあり、従って、セッション管理を開始しないと考えられ得る。
【０１６２】
上記の説明では、ネットワーク情報は、第１ネットワークのネットワーク識別子及び通信エリア情報を含み、通信エリア情報は、端末の登録エリアと第１ネットワークのサービス・エリアとの交差領域を示す。
【０１６３】
可能な実施において、特定のエリア内でのみアクセス可能なネットワークがＬＡＤＮであるとき、ネットワーク識別子はＤＮＮであり、あるいは、特定のエリア内でのみアクセス可能なネットワークがローカル・スライス・ネットワークであるとき、ネットワーク識別子はスライス識別子（例えば、Ｓ−ＮＳＳＡＩ）である。
【０１６４】
可能な実施において、ポリシー情報はＵＲＳＰであってよい。代替的に、ポリシー情報は他のポリシー、例えば、ネットワーク属性ポリシーであってよい。
【０１６５】
更に、端末がネットワークのカバレッジエリアから離れるとき、記憶されているネットワーク情報及びポリシー情報は、次の方法で処理されてよい。
【０１６６】
処理方法１：端末がサービス・エリアの外にあると端末が決定するとき、端末は、ネットワーク情報及びポリシー情報を削除する。
【０１６７】
処理方法２：端末がサービス・エリアの外にあると端末が決定するとき、端末はタイマを起動する。タイマが終了するときに、端末は、ネットワーク情報及びポリシー情報を削除する。タイマは、端末自体によって設定されてよく、あるいは、ステップ３０３又はステップ４０９を使用することによって端末へ送られてよい。
【０１６８】
結論として、図３又は図４に示される方法に従って、新たに構築されたネットワークのカバレッジエリア内の端末のコンフィグレーション情報は、更新され得る。
【０１６９】
以下は、本願で提供される、新しいネットワークのための構築方法について更に記載する。構築方法は、図３及び図４に示された方法実施形態の前に実行される。
【０１７０】
図５は、本願に従う通信方法を示し、これはネットワーク構築方法とも呼ばれ、次のステップを含む。
【０１７１】
ステップ５０１：ネットワーク管理システムは、ＡＭＦでネットワークのＤＮＮ及びサービス・エリアを設定する。
【０１７２】
ここで、ＡＭＦは、ネットワークのカバレッジエリア内にあるＡＭＦである。
【０１７３】
ステップ５０２：ネットワーク管理システムは、ＰＣＦでポリシー情報を設定する。
【０１７４】
任意に、ネットワーク管理システムは、代替的に、ＵＤＭでポリシー情報を設定してもよい。
【０１７５】
任意に、ネットワーク管理システムは、代替的に、ＰＣＦ及びＵＤＭでポリシー情報を設定してもよい。
【０１７６】
ステップ５０３：ネットワーク管理システムは、ＵＤＭでＤＮＮ、サービス・エリア、及び対象ＡＭＦの識別情報を設定する。
【０１７７】
対象ＡＭＦの識別子は、ネットワークのカバレッジエリア内のＡＭＦの識別情報である。識別情報は、例えば、アドレス情報であってよい。
【０１７８】
ステップ５０１の前に、すなわち、新しいネットワークの構築の前に、３ＧＰＰネットワークに登録している端末が存在する場合に、ＡＭＦは、端末の登録中に端末のサブスクリプションデータを記憶することが留意されるべきである。例えば、サブスクリプションデータは、端末がサブスクライブするＤＮＮを含む。サブスクライブされたＤＮＮはワイルドカードＤＮＮであってよく、あるいは、いくつかの特定のＤＮＮがサブスクライブされてよい。
【０１７９】
ステップ５０１乃至ステップ５０３に従って、ネットワーク管理システムは、新しいネットワークを構築し、具体的に、ＡＭＦ、ＰＣＦ、及びＵＤＭの夫々で設定を実行する。
【０１８０】
ステップ５０１乃至ステップ５０３に明確な実行順序はなく、実行順序は本願において制限されないことが留意されるべきである。
【０１８１】
図６は、ネットワーク構築方法とも呼ばれ得る、次のステップを含む本願に従う他の通信方法を示す。
【０１８２】
ステップ６０１：ＮＥＦは、アプリケーションデバイスから要求メッセージを受け取り、このとき、要求メッセージは、ネットワークの物理カバレッジエリアを含む。
【０１８３】
例において、ネットワークの物理カバレッジエリアは、スタジアム又はコンサートホールなどの物理カバレッジエリアであってよい。
【０１８４】
任意に、要求メッセージは、データ・ネットワーク・アクセス識別子及びネットワーク要件を更に含む。データ・ネットワーク・アクセス識別子（data  network  access  identifier，ＤＮＡＩ）は、アプリケーションプログラムの構築中に１つ以上のＤＮにアクセスするユーザプレーンの識別子である。ネットワーク要件は、クオリティ・オブ・サービス（Quality  of  Service，ＱｏＳ）、ＡＰＰリスト、又はそのようなものを含む。
【０１８５】
ステップ６０２：ＮＥＦは、ネットワークの物理カバレッジエリアに基づいてＡＭＦ及びネットワークのサービス・エリアを決定する。
【０１８６】
ＮＥＦは、ネットワークの物理カバレッジエリアを、コアネットワークによって識別され得るエリアに、例えば、サービス・エリアにマッピングする。更に、ＤＮＮが更にネットワークについて生成されてよい。
【０１８７】
ＮＥＦは、ネットワークの物理カバレッジエリアに基づいてＡＭＦを決定する。決定されたＡＭＦは、サービス・エリア内のＡＭＦである。
【０１８８】
更に、要求メッセージがデータ・ネットワーク・アクセス識別子及びネットワーク要件を含む場合に、ネットワークの物理カバレッジエリア、データ・ネットワーク・アクセス識別子、及びネットワーク要件に基づいて、ネットワークにサービスを提供するために、ネットワーク内に適切なネットワーク要素（例えば、ユーザプレーン機能（User  Plane  Function，ＵＰＦ）ネットワーク要素、ＡＭＦ、又はセッション管理機能（Session  Management  Function，ＳＭＦ）ネットワーク要素）があるかどうかが更に判定されてよい。ネットワーク内に適切なネットワーク要素がない場合には、ＮＥＦは、管理及びオーケストレーション（Management  and  Orchestration，ＭＡＮＯ）と相互作用し、それにより、ＭＡＮＯは、対応する位置でネットワーク要素インスタンスを構築する。
【０１８９】
更に、例において、設定は、後述されるステップ６０３乃至ステップ６０５を使用することによって各ネットワーク要素で実行されてよく、ステップ６０３、ステップ６０４及びステップ６０５の明確な実行順序はない。
【０１９０】
ステップ６０３：ＮＥＦは、ＤＮＮ、サービス・エリア、及びＡＭＦの識別子をＵＤＭへ送る。
【０１９１】
任意に、ＮＥＦは更に、ポリシー情報をＵＤＭへ送る。
【０１９２】
ステップ６０４：ＮＥＦは、ポリシー情報をＰＣＦへ送る。
【０１９３】
ステップ６０５：ＮＥＦは、ＤＮＮ及びサービス・エリアをＡＭＦへ送る。
【０１９４】
任意に、ＮＥＦは更に、ポリシー情報をＡＭＦへ送る。
【０１９５】
ステップ６０３乃至ステップ６０５に従って、設定は各ネットワーク要素で実行され、それにより、ＮＥＦはネットワーク上で設定を実行する。実施において、代替的に、ＮＥＦは、ネットワークについての指示情報を付加してよく、このとき、指示情報は、ネットワークがローカル・エリア・データ・ネットワークであることを示す。例えば、付加された指示情報は、ネットワークがローカル・エリア・データ・ネットワークであることを示すために使用されるローカル指示である。
【０１９６】
更に、上記のネットワーク設定が完了した後、ステップ６０６が更に実行されてよい。
【０１９７】
ステップ６０６：ＮＥＦは、更新メッセージをＡＭＦへ送り、このとき、更新メッセージは、データネットワーク名ＤＮＮ及びネットワークのサービス・エリアを含む。
【０１９８】
ステップ６０６は、端末のコンフィグレーション情報を更新するようＡＭＦをトリガするために使用される。ステップ６０６は、図３に示された実施形態におけるステップ３００であってよい。
【０１９９】
ステップ６０１の前に、すなわち、新しいネットワークの構築の前に、３ＧＰＰネットワークに登録している端末が存在する場合に、ＡＭＦは、端末の登録中に端末のサブスクリプションデータを記憶することが留意されるべきである。例えば、サブスクリプションデータは、端末がサブスクライブするＤＮＮを含む。サブスクライブされたＤＮＮはワイルドカードＤＮＮであってよく、あるいは、いくつかの特定のＤＮＮがサブスクライブされてよい。
【０２００】
ネットワーク構築が図５又は図６に示されたネットワーク構築方法を使用することによって完了した後、端末の設定が更に、図３又は図４の方法を使用することによって更新されてよい。
【０２０１】
同じ発明概念に基づいて、図７は、本願に従う装置の概略図である。装置は、モビリティ管理ネットワーク要素、通信ネットワーク要素、又はチップであってよく、上記の実施形態のうちのいずれか１つの方法を実行してよい。通信ネットワーク要素は、データ管理ネットワーク要素、ポリシー制御ネットワーク要素、又はネットワーク露出ネットワーク要素であってよい。
【０２０２】
装置７００は、少なくとも１つのプロセッサ７０１、通信ライン７０２、メモリ７０３、及び少なくとも１つの通信インターフェイス７０４を含む。
【０２０３】
プロセッサ７０１は、汎用の中央演算処理装置（central  processing  unit，ＣＰＵ）、マイクロプロセッサ、特定用途向け集積回路（application-specific  integrated  circuit，ＡＳＩＣ）、又は本願の解決法のプログラム実行を制御するよう構成された１つ以上の集積回路であってよい。
【０２０４】
通信ライン７０２は、上記の構成要素の間で情報を転送するためのパスを含んでよい。
【０２０５】
通信インターフェイス７０４は、他のデバイス又はイーサネット、ラジオ・アクセス・ネットワーク（radio  access  network，ＲＡＮ）若しくは無線ローカル・エリア・ネットワーク（wireless  local  area  network，ＷＬＡＮ）などの通信ネットワークと通信するために、トランシーバなどの如何なる装置も使用する。
【０２０６】
メモリ７０３は、リード・オンリー・メモリ（read-only  memory，ＲＯＭ）若しくは静的情報及びメモリを記憶することができる他のタイプの静的記憶デバイス、又はランダム・アクセス・メモリ（random  access  memory，ＲＡＭ）若しくは情報及び命令を記憶することができる他のタイプの動的記憶デバイスであってよく、あるいは、電気的消去可能なプログラム可能リード・オンリー・メモリ（electrically  erasable  programmable  read-only  memory，ＥＥＰＲＯＭ）、コンパクト・ディスク・リード・オンリー・メモリ（compact  disc  read-only  memory，ＣＤ−ＲＯＭ）若しくは他のコンパクト・ディスク・ストレージ、光ディスク・ストレージ（コンパクト・ディスク、レーザー・ディスク、光ディスク、デジタル・バーサタイル・ディスク、ブルーレイ・ディスク、及びそのようなもの）、又は磁気ディスク記憶媒体若しくは他の磁気記憶デバイス、又は命令若しくはデータ構造形態を有している期待されるプログラムコードを搬送若しくは記憶することができ且つコンピュータによりアクセス可能であるあらゆる他の媒体であってよいが、それらに限られない。メモリは、独立して存在してよく、通信ライン７０２を使用することによってプロセッサへ接続される。代替的に、メモリは、プロセッサと一体化されてよい。
【０２０７】
メモリ７０３は、本願の解決法を実行するためのコンピュータ実行可能命令を記憶するよう構成され、プロセッサ７０１は、実行を制御する。プロセッサ７０１は、本願の以下の実施形態で提供される通信方法を実装するように、メモリ７０３に記憶されているコンピュータ実行可能命令を実行するよう構成される。
【０２０８】
任意に、本願のこの実施形態におけるコンピュータ実行可能命令は、アプリケーションプログラムコードとも呼ばれ得る。これは、本願のこの実施形態において特に制限されない。
【０２０９】
具体的な実施中に、実施形態において、プロセッサ７０１は、１つ以上のＣＰＵ、例えば、図７のＣＰＵ０及びＣＰＵ１を含んでよい。
【０２１０】
具体的な実施中に、実施形態において、装置７００は、複数のプロセッサ、例えば、図７のプロセッサ７０１及びプロセッサ７０８を含んでよい。プロセッサの夫々は、シングルコア（single-CPU）プロセッサであってよく、あるいは、マルチコア（multi-CPU）プロセッサであってよい。ここで、プロセッサは、データ（例えば、コンピュータプログラム命令）を処理する１つ以上のデバイス、回路、及び／又はプロセッシングコアであってよい。
【０２１１】
具体的な実施中に、実施形態において、装置７００は、出力デバイス７０５及び入力デバイス７０６を更に含んでよい。出力デバイス７０５は、プロセッサ７０１と通信し、複数の様態で情報を表示してよい。例えば、出力デバイス７０５は、液晶ディスプレイ（liquid  crystal  display，ＬＣＤ）、発光ダイオード（light  emitting  diode，ＬＥＤ）表示デバイス、陰極線管（cathode  ray  tube，ＣＲＴ）表示デバイス、プロジェクタ（projector）、又はそのようなものであってよい。入力デバイス７０６は、プロセッサ７０１と通信し、複数の様態でユーザから入力を受け取ってよい。例えば、入力デバイス７０６は、マウス、キーボード、タッチスクリーンデバイス、検知デバイス、又はそのようなものであってよい。
【０２１２】
装置７００は、汎用デバイスであってよく、あるいは、専用デバイスであってよい。具体的な実施中に、装置７００は、デスクトップコンピュータ、ポータブルコンピュータ、ネットワークサーバ、パーソナル・デジタル・アシスタント（personal  digital  assistant，ＰＤＡ）、携帯電話機、タブレットコンピュータ、無線端末デバイス、埋め込みデバイス、又は図７と同様の構造を有しているデバイスであってよい。装置７００のタイプは、本願のこの実施形態において制限されない。
【０２１３】
図７に示される装置がチップであり、例えば、モビリティ管理ネットワーク要素のチップ、ネットワーク露出ネットワーク要素のチップ、ポリシー制御ネットワーク要素のチップ、又はデータ管理ネットワーク要素のチップであってよいとき、チップは、プロセッサ７０１（及びプロセッサ７０８を更に含んでよい）、通信ライン７０２、メモリ７０３、及び通信インターフェイス７０４を含む。具体的に、通信インターフェイス７０４は、入力インターフェイス、ピン、回路、又はそのようなものであってよい。プロセッサ７０１及びプロセッサ７０８は、汎用ＣＰＵ、マイクロプロセッサ、ＡＳＩＣ、又は上記の実施形態のうちのいずれか１つの通信方法のプログラム実行を制御するよう構成された１つ以上の集積回路であってよい。
【０２１４】
装置の機能モジュールの分割は、本願における上記の方法の例に基づいて実行されてよい。例えば、機能モジュールは、対応する機能に基づいて分割されてよく、あるいは、２つ以上の機能が処理モジュールに一体化されてもよい。一体化されたモジュールは、ハードウェアの形で実装されてよく、あるいは、ソフトウェア機能モジュールの形で実装されてよい。本願では、モジュール分割は例であり、論理的機能分割にすぎないことが留意されるべきである。実際の実施では、他の分割様態が使用されてもよい。例えば、機能モジュールが対応する機能に基づいて分割されるとき、図８は、装置８００の概略図である。装置８００は、上記の実施形態におけるモビリティ管理ネットワーク要素であってよい。装置８００は、送信ユニット８０２及び処理ユニット８０３を含む。任意に、装置８００は、受信ユニット８０１を更に含む。
【０２１５】
処理ユニット８０３は、ネットワークのサービス・エリア及びデータネットワーク名ＤＮＮに基づいて、サービス・エリア内にあってＤＮＮにサブスクライブしている端末の識別子を含む端末リストを決定するよう構成され、そして、ＤＮＮに対応するポリシー情報を取得し、端末リスト内の各端末に対応するネットワーク情報を決定するよう構成され、このとき、ネットワーク情報は、ＤＮＮ及び端末の通信エリアを含む。
【０２１６】
送信ユニット８０２は、ポリシー情報及び端末に対応するネットワーク情報を端末リスト内の端末へ送るよう構成される。
【０２１７】
実施において、受信ユニット８０１は、通信ネットワーク要素からクエリ要求を受け取るよう構成され、このとき、クエリ要求は、端末リストを要求するために使用される。送信ユニット８０２は、端末リストを通信ネットワーク要素へ送るよう更に構成される。
【０２１８】
実施において、受信ユニット８０１は、通信ネットワーク要素からサブスクリプションを受け取るよう更に構成され、それにより、新しい端末がサービス・エリアに入り、新しい端末がＤＮＮにサブスクライブしている場合に、モビリティ管理ネットワーク要素は、新しい端末の識別子を通信ネットワーク要素に報告する。
【０２１９】
実施において、受信ユニット８０１は、通信ネットワーク要素から通知メッセージを受け取るよう更に構成され、このとき、通知メッセージは、端末リストを含み、通知メッセージは、端末リスト内の端末のコンフィグレーション情報の更新を通知する。任意に、通知メッセージは、ポリシー情報を更に含む。
【０２２０】
実施において、受信ユニット８０１は、通信ネットワーク要素から通知メッセージを受け取るよう構成され、このとき、通知メッセージは、ＤＮＮ及び／又はサービス・エリアを含み、通知メッセージは、端末のコンフィグレーション情報の更新を通知する。
【０２２１】
実施において、処理ユニット８０３は、装置で事前設定されたポリシー情報を取得するか、あるいは、ポリシー制御ネットワーク要素からポリシー情報を取得するか、あるいは、データ管理ネットワーク要素からポリシー情報を取得するよう特に構成される。
【０２２２】
装置は、本発明の実施形態の方法においてモビリティ管理ネットワーク要素によって実行されるステップを実装するよう構成されてよいことが理解されるべきである。関連する特徴については、上記の説明を参照されたい。詳細は、ここで再び記載されない。
【０２２３】
具体的に、図８における受信ユニット８０１、処理ユニット８０３、及び送信ユニット８０２の機能／実施プロセスは、メモリ７０３に記憶されているコンピュータ実行可能命令を呼び出すことによって図７のプロセッサ７０１によって実装されてよい。代替的に、図８における処理ユニット８０３の機能／実施プロセスは、メモリ７０３に記憶されているコンピュータ実行可能命令を呼び出すことによって図７のプロセッサ７０１によって実装されてよく、図８における受信ユニット８０１及び送信ユニット８０２の機能／実施プロセスは、図７の通信インターフェイス７０４によって実装されてよい。
【０２２４】
任意に、装置８００がチップであるとき、受信ユニット８０１及び送信ユニット８０２の機能／実施プロセスは、代替的に、ピン、回路、又はそのようなものによって実装されてよい。任意に、装置８００がチップであるとき、メモリ７０３は、チップ内の記憶ユニット、例えば、レジスタ又はキャッシュであってよい。確かに、装置８００がモビリティ管理ネットワーク要素であるとき、メモリ７０３は、モビリティ管理ネットワーク要素内のチップの外にある記憶ユニットであってもよい。これは、本願のこの実施形態において特に制限されない。
【０２２５】
装置の機能モジュールの分割は、本願における上記の方法の例に基づいて実行されてよい。例えば、機能モジュールは、対応する機能に基づいて分割されてよく、あるいは、２つ以上の機能が処理モジュールに一体化されてもよい。一体化されたモジュールは、ハードウェアの形で実装されてよく、あるいは、ソフトウェア機能モジュールの形で実装されてよい。本願では、モジュール分割は例であり、論理的機能分割にすぎないことが留意されるべきである。実際の実施では、他の分割様態が使用されてもよい。例えば、機能モジュールが対応する機能に基づいて分割されるとき、図９は、装置９００の概略図である。装置９００は、上記の実施形態における通信ネットワーク要素であってよい。装置９００は、処理ユニット９０３及び送信ユニット９０２を含む。任意に、装置９００は、受信ユニット９０１を更に含む。
【０２２６】
処理ユニット９０３は、端末リストを取得するよう構成され、このとき、端末リストは、ネットワークのサービス・エリア内にあってネットワークのデータネットワーク名ＤＮＮにサブスクライブしている端末の識別子を含む。
【０２２７】
送信ユニット９０２は、通知メッセージをモビリティ管理ネットワーク要素へ送るよう構成され、このとき、通知メッセージは、端末リストを含み、通知メッセージは、端末リスト内の端末のコンフィグレーション情報の更新を通知する。任意に、受信ユニット９０１は、モビリティ管理ネットワーク要素から応答メッセージを受け取るよう構成され、このとき、応答メッセージは、更新結果を知らせるために使用される。任意に、通知メッセージは、ポリシー情報を更に含む。
【０２２８】
実施において、処理ユニット９０３は、送信ユニット９０２を使用することによってクエリ要求をモビリティ管理ネットワーク要素へ送るよう構成され、このとき、クエリ要求は、端末リストを要求するために使用される。受信ユニット９０１は、モビリティ管理ネットワーク要素から端末リストを受け取るよう構成される。
【０２２９】
実施において、送信ユニット９０２は、モビリティ管理ネットワーク要素にサブスクライブするよう更に構成され、それにより、新しい端末がサービス・エリアに入り、新しい端末がＤＮＮにサブスクライブしている場合に、モビリティ管理ネットワーク要素は、新しい端末の識別子を通信ネットワーク要素に報告する。
【０２３０】
実施において、処理ユニット９０３は、モビリティ管理ネットワーク要素によって報告された新しい端末の識別子を端末リストに加えるよう特に構成される。
【０２３１】
装置は、本発明の実施形態の方法において通信ネットワーク要素によって実行されるステップを実装するよう構成されてよいことが理解されるべきである。関連する特徴については、上記の説明を参照されたい。詳細は、ここで再び記載されない。通信ネットワーク要素は、データ管理ネットワーク要素、ポリシー制御ネットワーク要素、又はネットワーク露出ネットワーク要素であってよい。
【０２３２】
具体的に、図９における受信ユニット９０１、送信ユニット９０２、及び処理ユニット９０３の機能／実施プロセスは、メモリ７０３に記憶されているコンピュータ実行可能命令を呼び出すことによって図７のプロセッサ７０１によって実装されてよい。代替的に、図９における処理ユニット９０３の機能／実施プロセスは、メモリ７０３に記憶されているコンピュータ実行可能命令を呼び出すことによって図７のプロセッサ７０１によって実装されてよく、図９における受信ユニット９０１及び送信ユニット９０２の機能／実施プロセスは、図７の通信インターフェイス７０４によって実装されてよい。
【０２３３】
任意に、装置９００がチップであるとき、受信ユニット９０１及び送信ユニット９０２の機能／実施プロセスは、代替的に、ピン、回路、又はそのようなものによって実装されてよい。任意に、装置９００がチップであるとき、メモリ７０３は、チップ内の記憶ユニット、例えば、レジスタ又はキャッシュであってよい。確かに、装置９００が通信ネットワーク要素であるとき、メモリ７０３は、通信ネットワーク要素内のチップの外にある記憶ユニットであってもよい。これは、本願のこの実施形態において特に制限されない。
【０２３４】
装置の機能モジュールの分割は、本願における上記の方法の例に基づいて実行されてよい。例えば、機能モジュールは、対応する機能に基づいて分割されてよく、あるいは、２つ以上の機能が処理モジュールに一体化されてもよい。一体化されたモジュールは、ハードウェアの形で実装されてよく、あるいは、ソフトウェア機能モジュールの形で実装されてよい。本願では、モジュール分割は例であり、論理的機能分割にすぎないことが留意されるべきである。実際の実施では、他の分割様態が使用されてもよい。例えば、機能モジュールが対応する機能に基づいて分割されるとき、図１０は、装置１０００の概略図である。装置１０００は、上記の実施形態におけるネットワーク露出ネットワーク要素であってよい。装置１０００は、受信ユニット１００１、送信ユニット１００２、及び処理ユニット１００３を含む。
【０２３５】
受信ユニット１００１は、アプリケーションデバイスから要求メッセージを受け取るよう構成され、このとき、要求メッセージは、ネットワークの物理カバレッジエリアを含む。
【０２３６】
処理ユニット１００３は、ネットワークの物理カバレッジエリアに基づいてモビリティ管理ネットワーク要素及びネットワークのサービス・エリアを決定するよう構成される。
【０２３７】
送信ユニット１００２は、更新メッセージをモビリティ管理ネットワーク要素へ送るよう構成され、このとき、更新メッセージは、データネットワーク名ＤＮＮ及びネットワークのサービス・エリアを含む。
【０２３８】
実施において、送信ユニット１００２は、ＤＮＮに対応するポリシー情報をモビリティ管理ネットワーク要素へ送り、かつ／あるいは、ＤＮＮに対応するポリシー情報をデータ管理ネットワーク要素へ送り、かつ／あるいは、ＤＮＮに対応するポリシー情報をポリシー制御ネットワーク要素へ送るよう更に構成される。
【０２３９】
実施において、処理ユニット１００３は、ネットワークについての指示情報を付加するよう更に構成され、このとき、指示情報は、ネットワークがローカル・エリア・データ・ネットワークであることを示す。
【０２４０】
装置は、本発明の実施形態の方法においてネットワーク露出ネットワーク要素によって実行されるステップを実装するよう構成されてよいことが理解されるべきである。関連する特徴については、上記の説明を参照されたい。詳細は、ここで再び記載されない。
【０２４１】
具体的に、図１０における受信ユニット１００１、送信ユニット１００２、及び処理ユニット１００３の機能／実施プロセスは、メモリ７０３に記憶されているコンピュータ実行可能命令を呼び出すことによって図７のプロセッサ７０１によって実装されてよい。代替的に、図１０における処理ユニット１００３の機能／実施プロセスは、メモリ７０３に記憶されているコンピュータ実行可能命令を呼び出すことによって図７のプロセッサ７０１によって実装されてよく、図１０における受信ユニット１００１及び送信ユニット１００２の機能／実施プロセスは、図７の通信インターフェイス７０４によって実装されてよい。
【０２４２】
任意に、装置１０００がチップであるとき、受信ユニット１００１及び送信ユニット１００２の機能／実施プロセスは、代替的に、ピン、回路、又はそのようなものによって実装されてよい。任意に、装置１０００がチップであるとき、メモリ７０３は、チップ内の記憶ユニット、例えば、レジスタ又はキャッシュであってよい。確かに、装置１０００が通信ネットワーク要素であるとき、メモリ７０３は、通信ネットワーク要素内のチップの外にある記憶ユニットであってもよい。これは、本願のこの実施形態において特に制限されない。
【０２４３】
図１２は、通信装置１２００の概略図である。通信装置１２００は、上記の実施形態における端末であってよい。通信装置１２００は、取得ユニット１２０１及び処理ユニット１２０２を含む。
【０２４４】
取得ユニット１２０１は、ポリシー情報を取得するよう構成され、このとき、ポリシー情報は、ローカル指示と、第１ネットワークを識別するために使用されるネットワーク識別子とを含み、ローカル指示は、第１ネットワークが特定のエリア内でのみアクセス可能なネットワークであることを示す。
【０２４５】
決定ユニット１２０２は、ポリシー情報に基づいて、検出されたアプリケーションに関連した第１ネットワークが特定のエリア内でのみアクセス可能なネットワークであることを決定するよう構成される。
【０２４６】
通信装置に従って、端末は、アプリケーションに関連した第１ネットワークが特定のエリア内でのみアクセス可能なネットワークであるかどうかを知り、特定のエリア内でのみアクセス可能なネットワークに特有の動作を実行することができる。
【０２４７】
実施において、取得ユニット１２０１は、ネットワーク情報を取得するよう更に構成される。例えば、取得ユニット１２０１は、モビリティ管理ネットワーク要素からネットワーク情報を取得してよい。決定ユニット１２０２は、端末がネットワーク情報によって示されたエリア内にあるときに、端末によって、セッション管理プロシージャを開始すると決定するよう更に構成される。他の実施では、決定ユニット１２０２は、端末がネットワーク情報を有していないときに、端末によって、セッション管理を開始しないと決定するよう更に構成される。従って、端末がネットワーク情報を取得するとき、端末は、端末の位置及びネットワーク情報に基づいて、セッション管理プロシージャを開始すべきかどうかを更に決定してよく、あるいは、端末がネットワーク情報を取得しないとき、端末は、特定のエリア内でのみアクセス可能なネットワークのサービス・エリアの外にあり、従って、セッション管理を開始しないと考えられてよい。
【０２４８】
装置は、本発明の実施形態の方法において端末によって実行されるステップを実装するよう構成されてよいことが理解されるべきである。関連する特徴については、上記の説明を参照されたい。詳細は、ここで再び記載されない。
【０２４９】
具体的に、図１２における取得ユニット１２０１及び処理ユニット１２０２の機能／実施プロセスは、メモリ７０３に記憶されているコンピュータ実行可能命令を呼び出すことによって図７のプロセッサ７０１によって実装されてよい。代替的に、図１２における処理ユニット１２０２の機能／実施プロセスは、メモリ７０３に記憶されているコンピュータ実行可能命令を呼び出すことによって図７のプロセッサ７０１によって実装されてよく、図１２における取得ユニット１２０１の機能／実施プロセスは、図７の通信インターフェイス７０４によって実装されてよい。
【０２５０】
任意に、装置１２００がチップであるとき、取得ユニット１２０１の機能／実施プロセスは、代替的に、ピン、回路、又はそのようなものによって実装されてよい。任意に、装置１２００がチップであるとき、メモリ７０３は、チップ内の記憶ユニット、例えば、レジスタ又はキャッシュであってよい。確かに、装置１２００が端末であるとき、メモリ７０３は、通信ネットワーク要素内のチップの外にある記憶ユニットであってもよい。これは、本願のこの実施形態において特に制限されない。
【０２５１】
上記の実施形態の全て又は一部は、ソフトウェア、ハードウェア、ファームウェア、又はそれらの任意の組み合わせを使用することによって実装されてよい。ソフトウェアが実施形態を実装するために使用されるとき、実施形態は、完全に又は部分的にコンピュータプログラム製品の形で実装されてよい。コンピュータプログラム製品は、１つ以上のコンピュータ命令を含む。コンピュータプログラム命令がコンピュータでロード及び実行されるとき、本発明の実施形態に従うプロシージャ又は機能は全て又は部分的に生成される。コンピュータは、汎用コンピュータ、専用コンピュータ、コンピュータネットワーク、又はプログラム可能な装置であってよい。コンピュータ命令は、コンピュータ可読記憶媒体に記憶されてよく、あるいは、コンピュータ可読記憶媒体から他のコンピュータ可読記憶媒体へ送られてもよい。例えば、コンピュータ命令は、ウェブサイト、コンピュータ、サーバ、又はデータセンタから、他のウェブサイト、コンピュータ、サーバ、又はデータセンタへ有線（例えば、同軸ケーブル、光ファイバ、若しくはデジタル加入者回線（ＤＳＬ））又は無線（例えば、赤外線、電波、若しくはマイクロ波）方式で送られてよい。コンピュータ可読記憶媒体は、コンピュータによってアクセス可能な任意の使用可能な媒体、又はサーバ若しくはデータセンタなどの、１つ以上の使用可能な媒体を組み込むデータ記憶デバイスであってよい。使用可能な媒体は、磁気媒体（例えば、フロッピーディスク、ハードディスク、若しくは磁気テープ）、光学媒体（例えば、ＤＶＤ）、半導体媒体（例えば、固体状態ドライブ（Solid  State  Disk，ＳＳＤ））、又はそのようなものであってよい。
【０２５２】
本願の実施形態で記載されている様々な実例となる論理ユニット及び回路は、汎用プロセッサ、デジタル信号プロセッサ、特定用途向け集積回路（ＡＳＩＣ）、フィールド・プログラマブル・ゲート・アレイ（ＦＰＧＡ）若しくは他のプログラム可能な論理装置、ディスクリート・ゲート若しくはトランジスタ・ロジック、ディスクリート・ハードウェア部品、又はそれらの任意の組み合わせの設計を使用することによって、記載されている機能を実装又は動作してよい。汎用プロセッサはマイクロプロセッサであってよい。任意に、汎用プロセッサは、あらゆる従来のプロセッサ、コントローラ、マイクロコントローラ、又は状態機械であってもよい。プロセッサはまた、デジタル信号プロセッサとマイクロプロセッサ、複数のマイクロプロセッサ、デジタル信号プロセッサコアを備えた１つ以上のマイクロプロセッサ、又はあらゆる他の同様の構成などの、コンピューティング装置の組み合わせによって実装されてもよい。
【０２５３】
本願の実施形態で記載されている方法のステップ又はアルゴリズムは、ハードウェア、プロセッサによって実行されるソフトウェアユニット、又はそれらの組み合わせに直接組み込まれてよい。ソフトウェアユニットは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、又は当該技術におけるあらゆる他の形態の記憶媒体に記憶されてもよい。例えば、記憶媒体は、プロセッサが記憶媒体から情報を読み出し、情報を記憶媒体に書き込み得るように、プロセッサへ接続してよい。代替的に、記憶媒体は更に、プロセッサに一体化されてもよい。プロセッサ及び記憶媒体は、ＡＳＩＣに配置されてよく、ＡＳＩＣは、端末デバイスに配置されてよい。代替的に、プロセッサ及び記憶媒体はまた、端末デバイスの異なる構成要素に配置されてもよい。
【０２５４】
コンピュータプログラム命令はまた、コンピュータ又は他のプログラム可能なデータ処理デバイスにロードされてよく、それにより、一連の動作及びステップがコンピュータ又は他のプログラム可能なデータ処理デバイスで実行されて、コンピュータ実装処理が生成される。従って、コンピュータ又は他のプログラム可能なデータ処理デバイスで実行される命令は、フローチャート内の１つ以上のプロセスの及び／又はブロック図中の１つ以上のブロックでの特定の機能を実装するステップを提供する。
【０２５５】
本発明は、その具体的な特徴及び実施形態を参照して記載されているが、明らかに、本発明の精神及び適用範囲から逸脱することなしに、それらに対して様々な変更及び結合が行われてよい。相応して、明細書及び添付の図面は、添付の特許請求の範囲によって定義される本発明の例となる説明にすぎず、本発明の適用範囲をカバーするいずれかの又は全ての変更、変形、結合又は均等とみなされる。明らかに、当業者であれば、本発明の精神及び適用範囲から逸脱することなしに、本発明に対して様々な変更及び変形を行うことができる。本発明は、それらが、続く特許請求の範囲及びその同等技術によって定義される保護の範囲内にあるという条件で、それらの変更及び変形をカバーするよう意図される。
【０２５６】
本願は、２０１７年１１月３０日付けで「COMMUNICATION  METHOD  AND  APPRATUS」と題されて中国国家知識産権局に出願された中国特許出願第ＣＮ２０１７１１２４０７９２．Ｘ号に基づく優先権を主張して２０１８年１月８日付けで「COMMUNICATION  METHOD  AND  APPRATUS」と題されて中国国家知識産権局に出願された中国特許出願第ＣＮ２０１８１００１５６３２．３号に基づく優先権を主張する。なお、これらの中国特許出願は、それらの全文を参照により本願に援用される。
【図１】
2021503865.tif 000003
【図２】
2021503865.tif 000004
【図３】
2021503865.tif 000005
【図４】
2021503865.tif 000006
【図５】
2021503865.tif 000007
【図６】
2021503865.tif 000008
【図７】
2021503865.tif 000009
【図８】
2021503865.tif 000010
【図９】
2021503865.tif 000011
【図１０】
2021503865.tif 000012
【図１１】
2021503865.tif 000013
【図１２】
2021503865.tif 000014
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
通信方法であって、
端末によって、検出されたアプリケーションが第１ネットワークに関連することを決定ことと、
前記端末によって、該端末で設定されている情報に基づいて、前記第１ネットワークが特定のエリア内でのみアクセス可能なネットワークであることを決定することと、
前記端末によって、前記第１ネットワークについてのネットワーク情報を取得することと、
前記端末が前記ネットワーク情報によって示されているエリア内にある場合に応答して、前記端末によって、セッション管理プロシージャを開始すると決定することと
を有する方法。
【請求項２】
前記ネットワーク情報を取得することは、
前記端末によって、モビリティ管理ネットワーク要素から前記ネットワーク情報を取得することを有する、
請求項１に記載の方法。
【請求項３】
前記端末が前記ネットワーク情報によって示されている前記エリアから離れた後、前記方法は、
前記端末によって、前記第１ネットワークについての前記ネットワーク情報を削除することを更に有する、
請求項１に記載の方法。
【請求項４】
前記ネットワーク情報は、前記第１ネットワークのネットワーク識別子と、通信エリア情報とを含み、該通信エリア情報は、前記端末の登録エリアと前記第１ネットワークのサービス・エリアとの交差領域を示す、
請求項１に記載の方法。
【請求項５】
前記端末が前記第１ネットワークについてのネットワーク情報を有していない場合に応答して、前記端末によって、前記セッション管理プロシージャを開始しないと決定することを更に有する、
請求項４に記載の方法。
【請求項６】
前記特定のエリア内でのみアクセス可能な前記ネットワークは、ローカル・エリア・データ・ネットワーク（ＬＡＤＮ）であり、前記第１ネットワークを識別するために使用されるネットワーク識別子は、データネットワーク名（ＤＮＮ）である、
請求項１に記載の方法。
【請求項７】
前記特定のエリア内でのみアクセス可能な前記ネットワークは、ローカル・スライス・ネットワークであり、前記第１ネットワークを識別するために使用されるネットワーク識別子は、スライス識別子である、
請求項１に記載の方法。
【請求項８】
前記セッション管理プロシージャは、セッション確立プロシージャ又は、既存のセッションを通じて前記検出されたアプリケーションのサービス伝送を実施するプロセスを有する、
請求項１に記載の方法。
【請求項９】
プロセッサ、メモリ、通信ライン、及び通信インターフェイスを有する通信装置であって、
前記メモリは、コンピュータ実行可能命令を記憶するよう構成され、
前記プロセッサは、前記通信ラインを使用することによって前記メモリへ接続され、
前記通信装置が動作するときに、前記プロセッサは、前記メモリに記憶されている前記コンピュータ実行可能命令を実行して、前記通信装置が請求項１乃至８のうちいずれか一項に記載の通信方法を実行するようにする、
通信装置。
【請求項１０】
前記通信装置は端末である、
請求項９に記載の通信装置。
【請求項１１】
コンピュータ実行可能命令を有し、
端末のプロセッサが前記コンピュータ実行可能命令を実行するときに、該コンピュータ実行可能命令は、前記端末に、請求項１乃至８のうちいずれか一項に記載の通信方法を実行させる、
コンピュータプログラム。
【請求項１２】
請求項１１に記載のコンピュータプログラムを記憶しているコンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本願は、移動体通信技術の分野に、特に、通信方法及び装置に関係がある。
【背景技術】
【０００２】
第５世代（5th  Generation，５Ｇ）通信は、ローカル・エリア・データ・ネットワーク（Local  Area  Data  Network，ＬＡＤＮ）を提案している。ＬＡＤＮは主に、企業、スタジアム活動、及びコンサートホールなどのシナリオのために開発されたネットワークである。そのようなＬＡＤＮの特徴は、端末がＬＡＤＮのサービス・エリア（Service  Area，ＳＡ）内にあるときにのみ端末がＬＡＤＮにアクセスすることができることである。端末がＬＡＤＮのサービス・エリアから離れるとき、ネットワークは、ＬＡＤＮにアクセスしているセッションを切断する。
【０００３】
新しいローカル・エリア・データ・ネットワークがエリアにおいて構築された後、ネットワーク内の端末にコンフィグレーション情報を更新するよう通知する解決法は未だない。
【発明の概要】
【０００４】
本願は、端末のコンフィグレーション情報を更新するように、通信方法及び装置を提供する。
【０００５】
第１の態様に従って、本願は通信方法を提供する。方法は、モビリティ管理ネットワーク要素がサービス・エリア及びネットワークのデータネットワーク名（Data  Network  Name，ＤＮＮ）に基づいて端末リストを決定することを含み、このとき、端末リストは、サービス・エリア内にあってＤＮＮにサブスクライブしている端末の識別子を含み、ＤＮＮにサブスクライブしている端末は、ワイルドカードＤＮＮにサブスクライブしている端末であってよく、あるいは、ワイルドカードＤＮＮの代わりにネットワークのＤＮＮにサブスクライブしている端末であってよい。次いで、モビリティ管理ネットワーク要素は、ＤＮＮに対応するポリシー情報を取得し、端末リスト内の各端末に対応するネットワーク情報を決定し、このとき、ネットワーク情報は、ＤＮＮ及び端末の通信エリアを含む。その後、モビリティ管理ネットワーク要素は、ポリシー情報及び端末に対応するネットワーク情報を端末リスト内の端末へ送る。
【０００６】
上記の方法に従って、モビリティ管理ネットワーク要素は、最初に端末リストを決定し、次いで端末リスト内の端末へコンフィグレーション情報（ポリシー情報及びネットワーク情報を含む）を送り、それにより、端末は、受け取られたコンフィグレーション情報に基づいて更新を実行して、端末の設定を更新する。更に、モビリティ管理ネットワーク要素は、ネットワークのサービス・エリア内にあってネットワークのＤＮＮにサブスクライブしている端末のみのコンフィグレーション情報を更新し、それにより、ネットワークオーバーヘッドは低減され得る。
【０００７】
可能な実施において、モビリティ管理ネットワーク要素は、通信ネットワーク要素からクエリ要求を受け取り、このとき、クエリ要求は、端末リストを要求するために使用され、そして、モビリティ管理ネットワーク要素は、端末リストを通信ネットワーク要素へ送る。
【０００８】
更に、モビリティ管理ネットワーク要素は、新しい端末がサービス・エリアに入り、新しい端末がネットワークのＤＮＮにサブスクライブしている場合に、モビリティ管理ネットワーク要素が新しい端末の識別子を通信ネットワーク要素に報告するように、通信ネットワーク要素からサブスクリプションを更に受け取ってよい。
【０００９】
上記２つの様態において、モビリティ管理ネットワーク要素は、サービス・エリア内にあってネットワークのＤＮＮにサブスクライブしている端末の識別子を通信ネットワーク要素へ送ってよい。通信ネットワーク要素は、データ管理ネットワーク要素、ポリシー制御ネットワーク要素、ネットワーク露出ネットワーク要素、又はそのようなものであってよい。
【００１０】
可能な実施において、モビリティ管理ネットワーク要素は、代替的に、通信ネットワーク要素から通知メッセージを受け取った後に、上記の実施形態における通信方法を実行してもよく、このとき、通知メッセージは、端末リストを含み、通知メッセージは、端末リスト内の端末のコンフィグレーション情報の更新を通知する。任意に、通知メッセージは、ポリシー情報を更に含む。
【００１１】
他の可能な実施において、モビリティ管理ネットワーク要素は、通信ネットワーク要素から通知メッセージを受け取った後に、第１態様における通信方法を実行し、このとき、通知メッセージは、ネットワークのＤＮＮ及び／又はネットワークのサービス・エリアを含み、通知メッセージは、端末のコンフィグレーション情報の更新を通知する。
【００１２】
可能な実施において、モビリティ管理ネットワーク要素がＤＮＮに対応するポリシー情報を取得することは、具体的に、モビリティ管理ネットワーク要素において事前設定されたポリシー情報を取得すること、又はモビリティ管理ネットワーク要素によってポリシー制御ネットワーク要素からポリシー情報を取得すること、又はモビリティ管理ネットワーク要素によってデータ管理ネットワーク要素からポリシー情報を取得することを含む。
【００１３】
第２の態様に従って、本願は、通信方法を提供する。方法は、通信ネットワーク要素が端末リストを取得することを含み、このとき、端末リストは、ネットワークのサービス・エリア内にあってネットワークのデータネットワーク名ＤＮＮにサブスクライブしている端末の識別子を含む。通信ネットワーク要素は、通知メッセージをモビリティ管理ネットワーク要素へ送り、このとき、通知メッセージは、端末リストを含み、通知メッセージは、端末リスト内の端末のコンフィグレーション情報の更新を通知する。更に、通信ネットワーク要素は、モビリティ管理ネットワーク要素から応答メッセージを更に受け取ってよく、このとき、応答メッセージは、更新結果を通知するために使用される。
【００１４】
上記の方法に従って、通信ネットワーク要素は、端末リスト内の端末のコンフィグレーション情報を更新するようにモビリティ管理ネットワーク要素に指示して、端末の設定を更新する。更に、ネットワークのサービス・エリア内にあってネットワークのＤＮＮにサブスクライブしている端末のみのコンフィグレーション情報が更新され、それにより、ネットワークオーバーヘッドは低減され得る。
【００１５】
任意に、通知メッセージは、ポリシー情報を更に含む。
【００１６】
可能な実施において、通信ネットワーク要素は、クエリ要求をモビリティ管理ネットワーク要素へ送り、このとき、クエリ要求は、端末リストを要求するために使用される。通信ネットワーク要素は、モビリティ管理ネットワーク要素から端末リストを受け取る。
【００１７】
可能な実施において、通信ネットワーク要素は、新しい端末がサービス・エリアに入り、新しい端末がＤＮＮにサブスクライブしている場合に、モビリティ管理ネットワーク要素が新しい端末の識別子を通信ネットワーク要素に報告するように、モビリティ管理ネットワーク要素にサブスクライブする。任意に、通信ネットワーク要素は、モビリティ管理ネットワーク要素によって報告された新しい端末の識別子を端末リストに加える。
【００１８】
上記２つの様態において、通信ネットワーク要素は、モビリティ管理ネットワーク要素を使用することによって端末リストを取得することができ、このとき、端末リスト内の端末は、ネットワークのサービス・エリア内にあってネットワークのＤＮＮにサブスクライブしている端末である。
【００１９】
第３の態様に従って、本願は、通信方法を提供する。方法は、ネットワーク露出ネットワーク要素によって、ネットワークの物理カバレッジエリアを含む要求メッセージをアプリケーションデバイスから受け取ることと、ネットワーク露出ネットワーク要素によって、ネットワークの物理カバレッジエリアに基づいてモビリティ管理ネットワーク要素及びネットワークのサービス・エリアを決定することと、ネットワーク露出ネットワーク要素によって、データネットワーク名ＤＮＮ及びネットワークのサービス・エリアを含む更新メッセージをモビリティ管理ネットワーク要素へ送ることとを含む。
【００２０】
上記の方法に従って、ネットワーク露出ネットワーク要素は、サービス・エリアを有するネットワークを構築し、モビリティ管理ネットワーク要素を決定し、更に、更新メッセージをモビリティ管理ネットワーク要素へ送り、それにより、モビリティ管理ネットワーク要素は、ＤＮＮ及びネットワークのサービス・エリアを記憶している。このようにして、ネットワーク構築が完了すると、モビリティ管理ネットワーク要素の設定は同時に更新される。
【００２１】
可能な実施において、ネットワーク露出ネットワーク要素によって、ＤＮＮに対応するポリシー情報をモビリティ管理ネットワーク要素へ送り、かつ／あるいは、ネットワーク露出ネットワーク要素は、ＤＮＮに対応するポリシー情報をデータ管理ネットワーク要素へ送り、かつ／あるいは、ネットワーク露出ネットワーク要素は、ＤＮＮに対応するポリシー情報をポリシー制御ネットワーク要素へ送る。
【００２２】
可能な実施において、ネットワーク露出ネットワーク要素は、ネットワークについての指示情報を更に付加し、このとき、指示情報は、ネットワークがローカル・エリア・データ・ネットワークであることを示す。
【００２３】
第４の態様に従って、本願は、通信方法を提供する。方法は、端末によって、第１ネットワークが特定のエリア内でのみアクセス可能なネットワークであることを示すローカル指示と、第１ネットワークを識別するために使用されるネットワーク識別子とを含むポリシー情報を取得することと、端末によって、ポリシー情報に基づいて、検出されたアプリケーションに関連した第１ネットワークが特定のエリア内でのみアクセス可能なネットワークであることを決定することとを含む。
【００２４】
上記の方法に従って、端末は、アプリケーションに関連した第１ネットワークが特定のエリア内でのみアクセス可能なネットワークであるかどうかを知り、特定のエリア内でのみアクセス可能なネットワークに特有の動作を実行することができる。
【００２５】
可能な実施において、方法は、端末によってネットワーク情報を取得することと、端末がネットワーク情報によって示されるエリア内にあるときに、端末によって、セッション管理プロシージャを開始すると決定することとを更に含む。例えば、端末は、モビリティ管理ネットワーク要素からネットワーク情報を取得してよい。他の可能な実施において、方法は、端末がネットワーク情報を有していないときに、端末によって、セッション管理を開始しないと決定することを更に含む。従って、端末がネットワーク情報を取得するときには、端末は更に、端末の位置及びネットワーク情報に基づいて、セッション管理プロシージャを開始すべきかどうかを判定してよく、あるいは、端末がネットワーク情報を取得しないときには、端末は、特定のエリア内でのみアクセス可能なネットワークのサービス・エリアの外にあり、従ってセッション管理を開始しないと見なされ得る。
【００２６】
上記の説明では、ネットワーク情報は、第１ネットワークのネットワーク識別子と、通信エリア情報とを含み、通信エリア情報は、端末の登録エリアと第１ネットワークのサービス・エリアとの交差領域を示す。
【００２７】
可能な実施において、特定のエリア内でのみアクセス可能な前記ネットワークがローカル・エリア・データ・ネットワークＬＡＤＮであるときに、ネットワーク識別子は、データネットワーク名ＤＮＮであり、あるいは、特定のエリア内でのみアクセス可能なネットワークがローカル・スライス・ネットワークであるときに、ネットワーク識別子は、スライス識別子（例えば、Ｓ−ＮＳＳＡＩ）である。
【００２８】
可能な実施において、ポリシー情報は、ユーザ装置ルート選択ポリシーＵＲＳＰであってよい。代替的に、ポリシー情報は、他のポリシー、例えば、ネットワーク属性ポリシーであってよい。
【００２９】
第５の態様に従って、本願は、装置を提供する。装置は、モビリティ管理ネットワーク要素であってよく、あるいは、チップであってよい。装置は、第１の態様の上記の実施形態を実装する機能を有している。機能は、ハードウェアによって実装されてよく、あるいは、対応するソフトウェアを実行するハードウェアによって実装されてよい。ハードウェア又はソフトウェアは、上記の機能に対応する１つ以上のモジュールを含む。
【００３０】
第６の態様に従って、プロセッサ及びメモリを含む装置が提供される。メモリは、コンピュータ実行可能命令を記憶するよう構成される。装置が動作するときに、プロセッサは、メモリに記憶されているコンピュータ実行可能命令を実行し、それにより、装置は、第１の態様の実施のうちのいずれか１つに従う通信方法を実行する。
【００３１】
第７の態様に従って、本願は、装置を提供する。装置は、通信ネットワーク要素であってよく、あるいは、チップであってよい。装置は、第２の態様の上記の実施形態を実装する機能を有している。機能は、ハードウェアによって実装されてよく、あるいは、対応するソフトウェアを実行するハードウェアによって実装されてよい。ハードウェア又はソフトウェアは、上記の機能に対応する１つ以上のモジュールを含む。
【００３２】
第８の態様に従って、プロセッサ及びメモリを含む装置が提供される。メモリは、コンピュータ実行可能命令を記憶するよう構成される。装置が動作するときに、プロセッサは、メモリに記憶されているコンピュータ実行可能命令を実行し、それにより、装置は、第２の態様の実施のうちのいずれか１つに従う通信方法を実行する。
【００３３】
第９の態様に従って、本願は、装置を提供する。装置は、ネットワーク露出ネットワーク要素であってよく、あるいは、チップであってよい。装置は、第３の態様の上記の実施形態を実装する機能を有している。機能は、ハードウェアによって実装されてよく、あるいは、対応するソフトウェアを実行するハードウェアによって実装されてよい。ハードウェア又はソフトウェアは、上記の機能に対応する１つ以上のモジュールを含む。
【００３４】
第１０の態様に従って、プロセッサ及びメモリを含む装置が提供される。メモリは、コンピュータ実行可能命令を記憶するよう構成される。装置が動作するときに、プロセッサは、メモリに記憶されているコンピュータ実行可能命令を実行し、それにより、装置は、第３の態様の実施のうちのいずれか１つに従う通信方法を実行する。
【００３５】
第１１の態様に従って、本願は、装置を提供する。装置は、端末であってよく、あるいは、チップであってよい。装置は、第４の態様の上記の実施形態を実装する機能を有している。機能は、ハードウェアによって実装されてよく、あるいは、対応するソフトウェアを実行するハードウェアによって実装されてよい。ハードウェア又はソフトウェアは、上記の機能に対応する１つ以上のモジュールを含む。
【００３６】
第１２の態様に従って、プロセッサ及びメモリを含む装置が提供される。メモリは、コンピュータ実行可能命令を記憶するよう構成される。装置が動作するときに、プロセッサは、メモリに記憶されているコンピュータ実行可能命令を実行し、それにより、装置は、第５の態様の実施のうちのいずれか１つに従う通信方法を実行する。
【００３７】
第１３の態様に従って、本願は、コンピュータ可読記憶媒体を更に提供する。コンピュータ可読記憶媒体は命令を記憶し、命令がコンピュータで実行されるときに、コンピュータは、上記の態様で記載されている方法を実行することを可能にされる。
【００３８】
第１４の態様に従って、本願は、命令を含むコンピュータプログラム製品を更に提供する。コンピュータプログラム製品がコンピュータで実行されるときに、コンピュータは、上記の態様で記載されている方法を実行することを可能にされる。
【００３９】
第１５の態様に従って、本願は、システムを更に提供する。システムは、上記の方法実施形態又は装置実施形態のうちのいずれか１つにおけるモビリティ管理ネットワーク要素及び通信ネットワーク要素を含む。
【００４０】
加えて、第５乃至第１５の態様の実施のうちのいずれか１つによってもたらされる技術的効果については、第１乃至第３の態様の異なる実施によってもたらされる技術的効果を参照されたい。詳細は、ここで再び記載されない。
【００４１】
本願のこれら及び他の態様は、実施形態の下記の説明から、より容易に明らかであろう。
【図面の簡単な説明】
【００４２】
【図１】本願に従う可能なネットワークアーキテクチャの概略図である。
【図２】本願に従う他の可能なネットワークアーキテクチャの概略図である。
【図３】本願に従う通信方法のフローチャートである。
【図４】本願に従う他の通信方法のフローチャートである。
【図５】本願に従うネットワーク構築方法のフローチャートである。
【図６】本願に従う他のネットワーク構築方法のフローチャートである。
【図７】本願従う装置の概略図である。
【図８】本願に従う他の装置の概略図である。
【図９】本願に従う他の装置の概略図である。
【図１０】本願に従う他の装置の概略図である。
【図１１】本願に従う通信方法のフローチャートである。
【図１２】本願に従う通信装置の概略図である。
【発明を実施するための形態】
【００４３】
本願の目的、技術的解決法、及び利点をより明らかにするために、下記は、添付の図面を参照して詳細に本願について更に記載する。方法実施形態における具体的な動作方法はまた、装置実施形態又はシステム実施形態にも適用されてよい。本願の明細書において、別なふうに述べられない限りは、「複数の〜」は、２つ以上を意味する。
【００４４】
本願の実施形態で記載されるネットワークアーキテクチャ及びサービスシナリオは、本願の実施形態における技術的解決法について明らかに記載されるよう意図され、本願の実施形態で提供される技術的解決法に対する限定を構成しない。当業者であれば、ネットワークアーキテクチャの進化及び新しいサービスシナリオの出現により、本願の実施形態で提供される技術的解決法はまた、同様の技術的問題にも適用可能であると認識し得る。
【００４５】
図１は、本願が適用される可能なネットワークアーキテクチャの概略図である。ネットワークアーキテクチャは、端末及びモビリティ管理ネットワーク要素を含む。任意に、ネットワークアーキテクチャは、通信ネットワーク要素を更に含む。
【００４６】
端末は、無線トランシーバ機能を備えたデバイスであり、屋内若しくは屋外デバイス、手持ち式デバイス又は車載デバイスを含め、陸地に配置されてよく、あるいは、水上に（例えば、船上に）配置されてよく、あるいは、空中に（例えば、飛行機、風船、又は衛星に）配置されてよい。端末は、携帯電話機、タブレットコンピュータ、無線トランシーバ機能を備えたコンピュータ、仮想現実（Virtual  Reality，ＶＲ）端末、拡張現実（Augmented  Reality，ＡＲ）端末、産業制御における無線端末、自動運転における無線端末、遠隔医療における無線端末、スマートグリッドにおける無線端末、輸送安全性における無線端末、スマートシティにおける無線端末、スマートホームにおける無線端末、又はそのようなものであってよい。
【００４７】
モビリティ管理ネットワーク要素は主に、移動体ネットワークにおけるモビリティ管理、例えば、ユーザ位置更新、ユーザネットワーク登録、及びユーザハンドオーバーに関与する。例えば、モビリティ管理ネットワーク要素は、５Ｇにおけるアクセス及びモビリティ管理機能（Access  and  Mobility  Management  Function，ＡＭＦ）ネットワーク要素であってよい。
【００４８】
通信ネットワーク要素は、例えば、データ管理ネットワーク要素、ポリシー制御ネットワーク要素、又はネットワーク露出ネットワーク要素であってよい。
【００４９】
データ管理ネットワーク要素は、サブスクリプション情報及び認証／認可情報などのユーザデータを記憶するよう構成される。例えば、データ管理ネットワーク要素は、５Ｇにおける統合データ管理（Unified  Data  Management，ＵＤＭ）ネットワーク要素であってよい。
【００５０】
ポリシー制御ネットワーク要素は、モビリティ管理ネットワーク要素のためのポリシー又はそのようなものを供給することに関与する。例えば、ポリシー制御ネットワーク要素は、５Ｇにおけるポリシー制御機能（Policy  Control  Function，ＰＣＦ）ネットワーク要素であってよい。
【００５１】
ネットワーク露出ネットワーク要素は、移動体ネットワークによってサードパーティへ、例えば、垂直産業ユーザ、エッジコンピューティング、又はアプリケーションサーバへ提供されるサービス及び機能を安全に提供することに関与する。例えば、ネットワーク露出ネットワーク要素は、５Ｇにおけるネットワーク露出機能（Network  Exposure  Function，ＮＥＦ）ネットワーク要素であってよい。
【００５２】
上記の機能は、ハードウェアデバイス内のネットワークコンポーネントであってよく、あるいは、専用のハードウェアで実行されるソフトウェア機能又はプラットフォーム（例えば、クラウドプラットフォーム）上でインスタンス化された仮想化機能であってよいことが理解され得る。
【００５３】
記載の便宜上、本願の続く例の説明では、モビリティ管理ネットワーク要素はＡＭＦネットワーク要素であり、データ管理はＵＤＭネットワーク要素であり、ポリシー制御ネットワーク要素はＰＣＦネットワーク要素であり、ネットワーク露出ネットワーク要素はＮＥＦネットワーク要素である。その上、記載の便宜上、ＡＭＦネットワーク要素、ＵＤＭネットワーク要素、ＰＣＦネットワーク要素、及びＮＥＦネットワーク要素は夫々、ＡＭＦ、ＵＤＭ、ＰＣＦ、及びＮＥＦと簡潔に呼ばれる。
【００５４】
図２は、端末、無線アクセスネットワークデバイス、及びコアネットワークの制御プレーンネットワーク要素を含む、図１に示されたシステムアーキテクチャに基づく具体的なシステムアーキテクチャを示す。コアネットワークの制御プレーンネットワーク要素は、ＡＭＦ、ＵＤＭ、ＰＣＦ、及びＮＥＦを含む。任意に、システムアーキテクチャは、アプリケーションデバイスを更に含んでよい。図２において、アプリケーションデバイスは、５Ｇにおけるアプリケーション機能（Application  Function，ＡＦ）デバイスであり、説明のための例として使用される。
【００５５】
端末、ＡＭＦ、ＵＤＭ、ＮＥＦ、及びＰＣＦの機能については、上記の説明を参照されたい。詳細は、ここで再び記載されない。
【００５６】
アプリケーションデバイスは、第３世代パートナーシッププロジェクト（3rd  Generation  Partnership  Project，３ＧＰＰ）ネットワークのためのサービスを提供すること、例えば、サービスルートに作用し、ＰＣＦと相互作用してポリシー制御を実行することに関与する。アプリケーションデバイスはＡＦデバイスであり、本願では説明のために以下で例として使用される。
【００５７】
ＲＡＮデバイスは、端末のための無線通信機能を提供するデバイスである。ＲＡＮデバイスは基地局を含み、具体的には、しかし制限なしに、例えば、５Ｇにおける次世代基地局（g  Node  B，ｇＮＢ）、エボルブド・ノードＢ（evolved  NodeB，ｅＮＢ）、無線ネットワークコントローラ（Radio  Network  Controller，ＲＮＣ）、ノードＢ（Node  B，ＮＢ）、基地局コントローラ（Base  Station  Controller，ＢＳＣ）、ベース・トランシーバ・ステーション（Base  Transceiver  Station，ＢＴＳ）、ホーム基地局（例えば、ホーム・エボルブド・ノードＢ又はホーム・ノードＢ，ＨＭＢ）、ベースバンドユニット（BaseBand  Unit，ＢＢＵ）、送信／受信ポイント（Transmitting  and  Receiving  Point，ＴＲＰ）、送信ポイント（Transmitting  Point，ＴＰ）、又はモバイル交換センターを含む。
【００５８】
図１及び図２を参照して、下記は、背景で述べた課題を解決するように、本願に従う通信方法について具体的に記載する。本願は、図１及び図２に示されたシステムアーキテクチャに限られず、６Ｇシステムアーキテクチャなどの他の将来の通信システムに更に適用されてもよい。その上、本願で使用される上記のネットワーク要素は、将来の通信システムにおいて同じ機能を保ちながら、別の名称を有する可能性がある。
【００５９】
本願において、カバレッジエリアを有しているローカル・エリア・データ・ネットワークの構築中に、ＤＮＮ及びサービス・エリアが、ローカル・エリア・データ・ネットワークに割り当てられ得る。ＤＮＮは、ローカル・エリア・データ・ネットワークを識別するために使用され、サービス・エリアは、ローカル・エリア・データ・ネットワークのカバレッジエリアを表すために使用される。その上、ＤＮＮ及びサービス・エリアは更に、ＡＭＦで設定される。
【００６０】
更に、端末のポリシー情報は、ＰＣＦ、ＵＤＭ、及びＡＭＦの間で１つ以上のネットワーク要素で設定されてよい。代替的に、端末のポリシー情報は、端末で設定されてもよい。端末のポリシー情報は、例えば、アプリケーションプログラム（ＡＰＰ）、ＤＮＮ、セッション及びサービス連続モード（Session  and  Service  Continuity  mode，ＳＳＣモード）、スライス、又はローカル指示の間の対応であってよい。ローカル指示は、ネットワークがローカル・エリア・データ・ネットワークであるかどうかを示す。
【００６１】
例において、ポリシー情報は、ＡＰＰ、ＤＮＮ、ＳＳＣモード、スライス、及びローカル指示の間の対応であってよく、あるいは、ＡＰＰ、ＤＮＮ、及びローカル指示の間の対応であってよい。例えば、ポリシー情報は、ＵＥルート選択ポリシー（UE  Route  Selection  Policy，ＵＲＳＰ）であってよい。
【００６２】
代替的に、ローカル指示（ローカル・エリア・データ・ネットワークの指示情報とも呼ばれ得る）はまた、ポリシー情報のＤＮＮ情報に含まれてもよい。更に代替的には、ローカル指示は、ＵＲＳＰとは異なる他のポリシー情報において運ばれてもよい。例えば、他のポリシー情報は、ネットワーク属性ポリシーであってよい。ネットワーク属性ポリシーは、ネットワークが特定のエリア内でのみアクセス可能なネットワークであるかどうかを示す情報を含む。例えば、ネットワーク属性ポリシーは、ネットワーク識別子とローカル指示との間の対応を含む。
【００６３】
ローカル指示は、異なる方法で実装されてよい。例えば、ローカル指示が運ばれる場合には、それは、ネットワークがローカル・エリア・データ・ネットワークであることを示し、あるいは、ローカル指示が運ばれない場合には、それは、ネットワークがローカル・エリア・データ・ネットワークでないことを示す。代替的に、第１の値を有するローカル指示は、ネットワークがローカル・エリア・データ・ネットワークであることを示し、あるいは、第２の値を有するローカル指示は、ネットワークがローカル・エリア・データ・ネットワークでないことを示す。これは、ここで本願において制限されない。
【００６４】
ローカル・エリア・データ・ネットワークの上記の構築及び設定は、ネットワーク管理システムによって、又はＮＥＦによって実行されてよいことが留意されるべきである。２つの構築及び設定方法は、本明細書中以下で具体的に記載され、詳細はここでは記載されない。
【００６５】
本願におけるローカル・エリア・データ・ネットワークはＬＡＤＮであってよく、あるいは、ローカル・スライス・ネットワーク、例えば、企業によって構築されるスライス・ネットワークであってよいことが更に留意されるべきである。ローカル・スライス・ネットワークは、ローカル・スライス・ネットワークのカバレッジエリア内のユーザがローカル・スライス・ネットワークにアクセスすることを可能にする。例えば、ローカル・スライス・ネットワークは、企業のカバレッジエリア内のユーザがローカル・スライス・ネットワークにアクセスすることを可能にする。ローカル・エリア・データ・ネットワークがＬＡＤＮであるとき、ネットワークはＤＮＮによって識別され得る。すなわち、ネットワーク識別子はＤＮＮである。ローカル・エリア・データ・ネットワークがローカル・スライス・ネットワークであるときに、ネットワークはスライス識別子、例えば、単一ネットワークスライス選択支援情報（Single  Network  Slice  Selection  Assistance  Information，Ｓ−ＮＳＳＡＩ）によって識別され得る。すなわち、ネットワーク識別子はスライス識別子である。下記の実施形態は、一例としてＬＡＤＮを使用することによって記載される。なお、本願はまた、ローカル・スライス・ネットワークのしなりにも適用可能であり得る。
【００６６】
上記の構築及び構成がローカル・エリア・データ・ネットワークで実行された後、ローカル・エリア・データ・ネットワークのカバレッジエリア内の端末の設定が、本願では更に更新され得る。
【００６７】
図３は、本願に従う通信方法を示す。通信方法は、次のステップを含みながら、端末の設定を更新するために使用されてよい。
【００６８】
ステップ３００：通信ネットワーク要素は、通知メッセージをＡＭＦへ送り、ＡＭＦは、通信ネットワーク要素から通知メッセージを受け取る。
【００６９】
通知メッセージは、端末のコンフィグレーション情報の更新を通知する。具体的に、通知メッセージは、ネットワークのカバレッジエリア内の一部又は全ての端末のコンフィグレーション情報を更新することをＡＭＦに通知する。コンフィグレーション情報は、端末のポリシー情報及び／又はネットワーク情報を含む。
【００７０】
ステップ３００は、任意のステップであることが留意されるべきである。ステップ３００が実行されるとき、通信ネットワーク要素は、端末のコンフィグレーション情報を更新するようＡＭＦをトリガする。通信ネットワーク要素は、ＵＤＭ、ＰＣＦ、又はＮＥＦであってよい。更に、通知メッセージは、ネットワークのＤＮＮを更に運ぶか、あるいは、ネットワークのサービス・エリアを運ぶか、あるいは、ＤＮＮ及びサービス・エリアを運んでよい。
【００７１】
ステップ３００がスキップされるとき、ステップ３０１は直接実行され、すなわち、ＡＭＦは、端末のコンフィグレーション情報の更新を直接トリガする。例えば、ＡＭＦは、端末のコンフィグレーション情報の更新を規則的にトリガしてよい。この場合に、通信ネットワーク要素は、通知メッセージを送る必要がなく、すなわち、ステップ３００は実行される必要がない。
【００７２】
ステップ３０１：ＡＭＦは、ネットワークのサービス・エリア及びＤＮＮに基づいて端末リストを決定する。
【００７３】
ネットワークのサービス・エリアは、ローカル・エリア・データ・ネットワークのサービス・エリア、例えば、ＬＡＤＮのサービス・エリアである。
【００７４】
サービス・エリア及びＤＮＮは、ネットワーク構築中にＡＭＦで設定されていることが留意されるべきである。
【００７５】
従って、ステップ３０１で、ＡＭＦがネットワークのサービス・エリア及びＤＮＮを取得する方法は、次のとおりであってよい。
【００７６】
ステップ３００が実行されるとき、ステップ３００での通知メッセージがＤＮＮを運ぶ場合には、ＡＭＦは通知メッセージからＤＮＮを取得し、次いで、ＤＮＮに基づいて、ＤＮＮに対応するローカルに記憶されたサービス・エリアを取得してよい。このようにして、ＡＭＦは、ＤＮＮ及びサービス・エリアを取得する。
【００７７】
ステップ３００が実行されるとき、ステップ３００での通知メッセージがサービス・エリアを運ぶ場合に、ＡＭＦは通知メッセージからサービス・エリアを取得し、次いで、サービス・エリアに基づいて、サービス・エリアに対応するローカルに記憶されたＤＮＮを取得してよい。このようにして、ＡＭＦは、ＤＮＮ及びサービス・エリアを取得する。１つ以上のＤＮＮが取得されてよく、これは本願において制限されない。
【００７８】
ステップ３００が実行されるとき、ステップ３００での通知メッセージがＤＮＮ及びサービス・エリアを運ぶ場合に、ＡＭＦは、通知メッセージからＤＮＮ及びサービス・エリアを直接取得してよい。
【００７９】
ステップ３００がスキップされるとき、ＡＭＦは、ローカルに記憶されているＤＮＮ及びサービス・エリアを直接取得する。１つ以上のＤＮＮが取得されてよく、これは本願において制限されない。
【００８０】
上記の方法のうちのいずれか１つを使用することによってＤＮＮ及びサービス・エリアを取得した後、ＡＭＦは端末リストを決定してよく、このとき、端末リストは１つ以上の端末の識別子を含む。端末リストを取得する複数の方法が存在する。例において、端末リストを決定する３つの方法が、以下で与えられる。
【００８１】
方法１：ＡＭＦは、ネットワークのサービス・エリア内にあってワイルドカードＤＮＮにサブスクライブしている端末を決定し、それらの端末の識別子のリストを端末リストとして使用する。
【００８２】
端末がワイルドカードＤＮＮにサブスクライブしていることは、端末が全てのＤＮＮにアクセス可能であることを意味するか、あるいは、端末が全てのＤＮＮにサブスクライブしていることとして理解される。
【００８３】
例えば、ＡＭＦは、ネットワークのサービス・エリア内の端末が端末１、端末２、及び端末３を含み、そのうち端末１及び端末２がワイルドカードＤＮＮにサブスクライブしており、端末３がワイルドカードＤＮＮにサブスクライブしていない、と決定する。この場合に、ＡＭＦによって決定された端末リストは、｛端末１の識別子，端末２の識別子｝である。
【００８４】
方法２：ＡＭＦは、ネットワークのサービス・エリア内にあってワイルドカードＤＮＮの代わりにネットワークのＤＮＮにサブスクライブしている端末を決定し、それらの端末の識別子のリストを端末リストとして使用する。
【００８５】
例えば、ネットワークのＤＮＮは、ＤＮＮ０と表される。
【００８６】
ＡＭＦは、ネットワークのサービス・エリア内の端末が端末１、端末２、及び端末３を含み、そのうち端末１がワイルドカードＤＮＮにサブスクライブしており、端末２がワイルドカードＤＮＮの代わりにＤＮＮ１及びＤＮＮ２にサブスクライブしており、端末３がワイルドカードＤＮＮの代わりにＤＮＮ０及びＤＮＮ１にサブスクライブしている、と決定する。この場合に、ＡＭＦによって決定された端末リストは、｛端末３の識別子｝である。
【００８７】
方法３：ＡＭＦは、ネットワークのサービス・エリア内にあってワイルドカードＤＮＮにサブスクライブしている端末を決定し、ネットワークのサービス・エリア内にあってワイルドカードＤＮＮの代わりにネットワークのＤＮＮにサブスクライブしている端末を決定し、決定された端末の識別子のリストと端末リストとして使用する。
【００８８】
方法３は、上記の方法１及び方法２を組み合わせる方法である。
【００８９】
例えば、ネットワークのＤＮＮは、ＤＮＮ０と表される。
【００９０】
ＡＭＦは、ネットワークのサービス・エリア内の端末が端末１、端末２、及び端末３を含み、そのうち端末１がワイルドカードＤＮＮにサブスクライブしており、端末２がワイルドカードＤＮＮの代わりにＤＮＮ１及びＤＮＮ２にサブスクライブしており、端末３がワイルドカードＤＮＮの代わりにＤＮＮ０及びＤＮＮ１にサブスクライブしている、と決定する。この場合に、ＡＭＦによって決定された端末リストは、｛端末１の識別子，端末３の識別子｝である。
【００９１】
上記の方法のうちのどの１つが使用されるかに関わらず、ＡＭＦによって最終的に決定される端末リストに含まれている如何なる端末も、次を満足する。端末は、サービス・エリア内にあり、端末は、ネットワークのＤＮＮにサブスクライブしている。
【００９２】
ステップ３０２：ＡＭＦは、ＤＮＮに対応するポリシー情報を取得し、端末リスト内の各端末に対応するネットワーク情報を決定する。
【００９３】
例えば、ポリシー情報は、ＵＲＳＰであってよい。
【００９４】
ＡＭＦがポリシー情報を取得する方法は、次のとおりであってよい。
【００９５】
方法１：ＡＭＦは、ローカルに記憶されているポリシー情報を取得する。
【００９６】
例えば、ポリシー情報がＡＭＦで事前設定されているとき、ＡＭＦは、ローカルに記憶されているポリシー情報を取得してよい。
【００９７】
方法２：ＡＭＦは、ＰＣＦからポリシー情報を取得する。
【００９８】
例えば、ポリシー情報がネットワーク構築中にＰＣＦで設定されるとき、ＡＭＦは、ＰＣＦからポリシー情報を取得してよい。
【００９９】
他の例として、ポリシー情報がネットワーク構築中にＵＤＭで設定されるがＰＣＦで設定されないときに、ＡＭＦがＰＣＦにポリシー情報を要求する場合に、ＰＣＦは、最初にＵＤＭからポリシー情報を取得し、次いでポリシー情報をＡＭＦへ送ってよい。
【０１００】
方法３：ＡＭＦは、ＵＤＭからポリシー情報を取得する。
【０１０１】
例えば、ポリシー情報がネットワーク構築中にＵＤＭで設定されるとき、ＡＭＦは、ＵＤＭからポリシー情報を取得してよい。
【０１０２】
他の例として、ポリシー情報がネットワーク構築中にＰＣＦで設定されるがＵＤＭで設定されないときに、ＡＭＦがＵＤＭにポリシー情報を要求する場合に、ＵＤＭは、最初にＰＣＦからポリシー情報を取得し、次いでポリシー情報をＡＭＦへ送ってよい。
【０１０３】
端末リスト内の各端末に対応するネットワーク情報をＡＭＦによって決定する方法は、次を含む。
【０１０４】
端末リスト内の各端末について、端末の登録エリアが取得され、端末の登録エリアとネットワークのサービス・エリアとの交差が端末の通信エリアとして決定される。次いで、ネットワークのＤＮＮ及び端末の通信エリアは、端末のネットワーク情報として決定される。すなわち、端末のネットワーク情報は、ネットワークのＤＮＮと、端末の通信エリアとを含む。端末のネットワーク情報は、ＬＡＤＮ情報とも呼ばれ得る。
【０１０５】
端末の登録エリア及びＬＡＤＮのサービス・エリアが交差を有さないとき、端末の通信エリアはヌルであることが留意されるべきである。相応して、端末のネットワーク情報（すなわち、ＬＡＤＮ情報）はヌルである。
【０１０６】
端末リスト内の端末の登録エリアは、同じであってよく、あるいは、異なってもよいことが留意されるべきである。端末リスト内の全ての端末が同じ登録エリアを有しているとき、端末リスト内の全ての端末は、同じネットワーク情報を有している。端末リスト内の全ての端末が同じ登録エリアを有しているわけではないとき、端末リスト内の全ての端末は、同じネットワーク情報を有しているわけではない。
【０１０７】
本願では、端末のポリシー情報及びネットワーク情報は、まとめてコンフィグレーション情報と呼ばれ得る。すなわち、端末のコンフィグレーション情報は、ポリシー情報及びネットワーク情報を含む。
【０１０８】
ステップ３０３：ＡＭＦは、端末に対応するポリシー情報及びネットワーク情報を端末リスト内の端末へ送る。
【０１０９】
ステップ３０３において、ＡＭＦは、決定された端末リスト内の各端末のコンフィグレーション情報（ポリシー情報及びネットワーク情報を含む）を端末へ送る。
【０１１０】
端末のネットワーク情報（すなわち、ＬＡＤＮ情報）がヌルであるとき、ステップ３０３で、ＡＭＦは、ポリシー情報のみを端末リスト内の端末へ送る。相応して、端末リスト内の端末は、ＡＭＦからポリシー情報を取得する。任意に、他の実施形態では、ポリシー情報は、代替的に、端末で設定されてよく、端末は、設定された情報からポリシー情報を取得してよい。
【０１１１】
ステップ３００乃至ステップ３０３又はステップ３０１乃至ステップ３０３に従って、ＡＭＦは、最初に端末リストを決定し、次いでコンフィグレーション情報（ポリシー情報及びネットワーク情報を含む）を端末リスト内の端末へ送り、それにより、端末は、受け取られたコンフィグレーション情報に基づいて更新を実行して、端末の設定を更新する。その上、ＡＭＦは、ネットワークのサービス・エリア内にあってネットワークのＤＮＮにサブスクライブしている端末のコンフィグレーション情報のみを更新し、それにより、ネットワークオーバーヘッドは低減され得る。
【０１１２】
図４は、本願に従う他の通信方法を示す。通信方法は、次のステップを含みながら、端末のコンフィグレーション情報を更新するために使用されてよい。
【０１１３】
ステップ４０１：通信ネットワーク要素は、クエリ要求をＡＭＦへ送り、ＡＭＦは、通信ネットワーク要素からクエリ要求を受け取る。
【０１１４】
通信ネットワーク要素は、ＵＤＭ、ＰＣＦ、又はＮＥＦであってよい。クエリ要求は、端末リストを要求するために使用される。
【０１１５】
任意に、クエリ要求は、ＤＮＮ及び／又はサービス・エリアを含む。
【０１１６】
ステップ４０２：ＡＭＦは、サービス・エリア及びＤＮＮに基づいて端末リストを決定する。
【０１１７】
クエリ要求を受け取った後、ＡＭＦはサービス・エリア及びＤＮＮを決定する。
【０１１８】
サービス・エリア及びＤＮＮは、ネットワーク構築中にＡＭＦで設定されている。従って、ＡＭＦがネットワークのサービス・エリア及びＤＮＮを取得する方法は、次のとおりであってよい。
【０１１９】
クエリ要求がＤＮＮを運ぶ場合に、ＡＭＦは、クエリ要求からＤＮＮを取得し、次いでＤＮＮに基づいて、ＤＮＮに対応するローカルに記憶されているサービス・エリアを取得してよい。このようにして、ＡＭＦはＤＮＮ及びサービス・エリアを取得する。
【０１２０】
クエリ要求がサービス・エリアを運ぶ場合に、ＡＭＦは、クエリ要求からサービス・エリアを取得し、次いでサービス・エリアに基づいて、サービス・エリアに対応するローカルに記憶されているＤＮＮを取得してよい。このようにして、ＡＭＦは、ＤＮＮ及びサービス・エリアを取得する。１つ以上のＤＮＮが取得されてよく、これは本願において制限されない。
【０１２１】
クエリ要求がＤＮＮ及びサービス・エリアを運ぶ場合に、ＡＭＦは、クエリ要求からＤＮＮ及びサービス・エリアを直接取得してよい。
【０１２２】
更に、ＤＮＮ及びサービス・エリアを決定した後、ＡＭＦは端末リストを決定する。具体的な方法は、ステップ３０１で端末リストを決定する上記の方法と同じであり、上記の方法が参照され得る。
【０１２３】
ステップ４０３：ＡＭＦは、端末リストを通信ネットワーク要素へ送る。
【０１２４】
ステップ４０４：通信ネットワーク要素は、ＡＭＦにサブスクライブし、それにより、新しい端末がサービス・エリアに入り、新しい端末がネットワークのＤＮＮにサブスクライブしている場合に、ＡＭＦは、新しい端末の識別子を通信ネットワーク要素に報告する。
【０１２５】
ＡＭＦが、報告条件を満足する新しい端末の識別子を決定する方法は、端末がサービス・エリア内にあってネットワークのＤＮＮにサブスクライブしており、端末が以前にサービス・エリアから出ている場合に、ＡＭＦは、端末が報告条件を満足する新しい端末である、と決定する。
【０１２６】
ステップ４０５：ＡＭＦは、新しい端末の識別子を通信ネットワーク要素に報告する。
【０１２７】
実施において、ＡＭＦは、報告条件を満足する１つ以上の端末の識別子を規則的に報告してよい。例えば、ステップ４０４で、通信ネットワーク要素は、ＡＭＦにサブスクライブしているときにタイマを運んでよく、このとき、タイマは、規則的な報告の時間インターバルをＡＭＦに知らせるために使用される。他の例として、タイマはまた、ＡＭＦで事前設定されてもよい。これは、本願において制限されない。
【０１２８】
他の実施では、ＡＭＦは、代替的に、新しい端末が報告条件を満足すると決定すると直ちに、新しい端末の識別子を通信ネットワーク要素に報告してよい。
【０１２９】
その上、複数の端末の識別子が一度に報告されるべきである場合に、端末の識別子は、端末リストに加えられ、次いで通信ネットワーク要素に報告されてよいことが留意されるべきである。
【０１３０】
ステップ４０６：通信ネットワーク要素は、新しい端末の識別子を端末リストに加える。
【０１３１】
実施において、ステップ４０４乃至ステップ４０６は、任意のステップであることが留意されるべきである。すなわち、ステップ４０４乃至ステップ４０６は、代替的に、スキップされてもよい。
【０１３２】
他の実施では、ステップ４０４及びステップ４０１はまた、１つのステップにまとめられてもよく、すなわち、ステップ４０１でクエリ要求を送るときに、通信ネットワーク要素は更に、ＡＭＦにサブスクライブする。
【０１３３】
例えば、ステップ４０４乃至ステップ４０６が実行されるとき、以下は、この解決法を理解するのを助けるために、説明のために具体例を提供する。ステップ４０１乃至ステップ４０３に従って、通信ネットワーク要素は、具体的に｛端末１の識別子，端末２の識別子，端末３の識別子｝である端末リストを受け取る、と仮定される。次いで、ＡＭＦは更に、端末４の識別子を報告する。この場合に、ＡＭＦは、端末４の識別子を端末リストに加え、更新された端末リストは、｛端末１の識別子，端末２の識別子，端末３の識別子，端末４の識別子｝である。
【０１３４】
ステップ４０１乃至ステップ４０３、又はステップ４０１乃至ステップ４０６に従って、通信ネットワーク要素は端末リストを取得し得る。
【０１３５】
確かに、上記は、通信ネットワーク要素が端末リストを取得する１つの実施方法にすぎない。実際の応用では、通信ネットワーク要素は、他の方法を使用することによって端末リストを取得してもよい。これは、本願において制限されない。
【０１３６】
次いで、ステップ４０７が実行される。
【０１３７】
ステップ４０７：通信ネットワーク要素は、通知メッセージをＡＭＦへ送り、ＡＭＦは、通信ネットワーク要素から通知メッセージを受け取る。
【０１３８】
通知メッセージは、端末リスト内の端末のコンフィグレーション情報の更新を通知する。
【０１３９】
通知メッセージに含まれる端末リストは、ステップ４０１乃至ステップ４０３を用いることによって決定された端末リスト、又はステップ４０１乃至ステップ４０６を用いることによって決定され端末リストである。
【０１４０】
通知メッセージは、端末リストを含む。任意に、通知メッセージは、ＤＮＮ及び／又はサービス・エリアを更に含む。任意に、通知メッセージは、ポリシー情報を更に含む。
【０１４１】
ステップ４０８：ＡＭＦは、ポリシー情報及びネットワーク情報を取得する。
【０１４２】
通知メッセージを受け取ると、ＡＭＦは、端末のコンフィグレーション情報が更新される必要があると決定する。従って、ＡＭＦは、端末リスト内の端末のコンフィグレーション情報を決定する必要がある。
【０１４３】
通知メッセージがポリシー情報を含む場合に、ＡＭＦは、通知メッセージからポリシー情報を取得する。通知メッセージがポリシー情報を含まない場合に、ＡＭＦは、ステップ３０２で記載された３つの方法のうちのいずれか１つに従って、ポリシー情報を取得してよい。
【０１４４】
更に、ＡＭＦが端末リスト内の端末のネットワーク情報を取得する方法については、ステップ３０２で記載された方法を参照されたい。詳細は、ここで再び記載されない。
【０１４５】
ステップ４０９：ＡＭＦは、ポリシー情報及びネットワーク情報を端末リスト内の端末へ送る。
【０１４６】
ステップ４０９については、ステップ３０３で記載された上記の方法を参照されたい。詳細は、ここで再び記載されない。
【０１４７】
ステップ４１０は、ＡＭＦは、応答メッセージを通信ネットワーク要素へ送り、通信ネットワーク要素は、ＡＭＦから応答メッセージを受け取る。
【０１４８】
応答メッセージは、更新結果を通知する。例えば、更新結果は、更新の成功、更新の失敗、又はそのようなものである。
【０１４９】
ステップ４１０は、任意のステップであることが留意されるべきである。その上、ステップ４１０は、ステップ４０７の後のいずれのステップで起こってもよい。
【０１５０】
ステップ４０１乃至ステップ４０３及びステップ４０７乃至ステップ４１０、又はステップ４０１乃至ステップ４１０に従って、通信ネットワーク要素は、最初に、ＡＭＦを使用することによって端末リストを取得し、次いで、端末リストを通知メッセージに加え、通知メッセージをＡＭＦへ送って、ＡＭＦに端末リスト内の端末の設定を更新するように通知し、それによって端末の設定を更新する。その上、ＡＭＦは、ネットワークのサービス・エリア内にあってネットワークのＤＮＮにサブスクライブしている端末のコンフィグレーション情報のみを更新し、それにより、ネットワークオーバーヘッドは低減され得る。
【０１５１】
この時点で、図３又は図４の方法に従って、ネットワークのカバレッジエリア内の端末は、ネットワーク情報及びポリシー情報を取得する。端末がＡＰＰ（ＡＰＰは、新たに構築されたネットワークにアクセスすることができ、例えば、スタジアムの主催者によって構築されたライブスポーツＡＰＰである）を起動するとき、ＡＰＰに対応するＤＮＮ、スライス、又はＳＳＣモードなどの情報は、ポリシー情報に基づいて決定されてよく、次いで、ローカル指示に基づいて、ＡＰＰがアクセスするネットワークが特定のエリア内でのみアクセス可能なネットワークであることが決定される。次いで、端末は、ネットワーク情報及び端末の位置に基づいて、端末がネットワークのカバレッジエリア内にあるかどうかを判定する。端末がネットワークのカバレッジエリア内にあるとき、端末は、サービス伝送を実行するために、セッション確立プロシージャを開始するか、あるいは、既存のセッションを再利用してよい。
【０１５２】
すなわち、端末がＡＰＰを検出するとき（例えば、ユーザが端末でＡＰＰを起動するとき）、端末は、ＡＰＰに対応するサービス・パケットを送信するために、ＡＰＰに関連したネットワーク識別子（例えば、ＤＮＮ又はＳ−ＮＳＳＡＩ）を決定する必要がある。例えば、ポリシー情報を取得した後、端末は、ポリシー情報内のローカル指示に基づいて、ＡＰＰがアクセスするネットワークが特定のエリア内でのみアクセス可能なネットワークであるかどうかを知る。
【０１５３】
上述されたように、端末の登録エリア及びＬＡＤＮのサービス・エリアが交差を有さないとき、端末のネットワーク情報はヌルである。従って、端末にはネットワーク情報が存在しないことがある。
【０１５４】
端末にネットワーク情報がないとき、端末は、端末がＬＡＤＮのサービス・エリアの外にあるとみなし、従って、セッション管理を開始しない。すなわち、端末にネットワーク情報がないとき、端末は、セッション管理を開始しない。
【０１５５】
端末が、ポリシー情報内のローカル指示に基づいて、ＡＰＰがアクセスするネットワークが特定のエリア内でのみアクセス可能なネットワークであると知り、端末にネットワーク情報があるとき、端末は、ネットワーク情報及び端末の位置に基づいて、端末がＬＡＤＮのサービス・エリア内にあるかどうかを判定する。端末がＬＡＤＮのサービス・エリア内にある場合には、端末はセッション管理を開始し、あるいは、端末がＬＡＤＮのサービス・エリアの外にある場合には、端末はセッション管理を開始しない。
【０１５６】
セッション管理プロシージャは、セッション確立プロシージャ、又はセッション再利用を通じてサービス伝送を実施するプロセスであってよい。サービス伝送プロセスは、端末が既存のセッションでＡＰＰのサービス・パケットを送信することを意味する。再利用されたセッションが非アクティブ状態にあるとき、セッション管理プロシージャは、セッションアクティブ化プロシージャを更に含む。
【０１５７】
従って、本願は、図１１に示されるように、通信方法を更に開示する。方法は、次のステップを含む。
【０１５８】
ステップ１１０１：端末は、第１ネットワークが特定のエリア内でのみアクセス可能なネットワークであることを示すローカル指示と、第１ネットワークを識別するために使用されるネットワーク識別子とを含むポリシー情報を取得する。
【０１５９】
ステップ１１０２：端末は、ポリシー情報に基づいて、検出されたアプリケーションに関連した第１ネットワークが特定のエリア内でのみアクセス可能なネットワークであることを決定する。
【０１６０】
上記の方法に従って、端末は、アプリケーションに関連した第１ネットワークが特定のエリア内でのみアクセス可能なネットワークであるかどうかを知り、特定のエリア内でのみアクセス可能なネットワークに特有の動作を実行することができる。
【０１６１】
可能な実施において、方法は、端末によってネットワーク情報を取得することと、端末がネットワーク情報によって示されるエリア内にあるときに、端末によって、セッション管理プロシージャを開始すると決定することとを更に含む。例えば、端末は、モビリティ管理ネットワーク要素からネットワーク情報を取得してよい。他の可能な実施では、方法は、端末がネットワーク情報を有していないときに、端末によって、セッション管理を開始しないと決定することを更に含む。従って、端末がネットワーク情報を取得するとき、端末は、端末の位置及びネットワーク情報に基づいて、セッション管理プロシージャを開始すべきかどうかを更に決定し、あるいは、端末がネットワーク情報を取得しないとき、端末は、特定のエリア内でのみアクセス可能なネットワークのサービス・エリアの外にあり、従って、セッション管理を開始しないと考えられ得る。
【０１６２】
上記の説明では、ネットワーク情報は、第１ネットワークのネットワーク識別子及び通信エリア情報を含み、通信エリア情報は、端末の登録エリアと第１ネットワークのサービス・エリアとの交差領域を示す。
【０１６３】
可能な実施において、特定のエリア内でのみアクセス可能なネットワークがＬＡＤＮであるとき、ネットワーク識別子はＤＮＮであり、あるいは、特定のエリア内でのみアクセス可能なネットワークがローカル・スライス・ネットワークであるとき、ネットワーク識別子はスライス識別子（例えば、Ｓ−ＮＳＳＡＩ）である。
【０１６４】
可能な実施において、ポリシー情報はＵＲＳＰであってよい。代替的に、ポリシー情報は他のポリシー、例えば、ネットワーク属性ポリシーであってよい。
【０１６５】
更に、端末がネットワークのカバレッジエリアから離れるとき、記憶されているネットワーク情報及びポリシー情報は、次の方法で処理されてよい。
【０１６６】
処理方法１：端末がサービス・エリアの外にあると端末が決定するとき、端末は、ネットワーク情報及びポリシー情報を削除する。
【０１６７】
処理方法２：端末がサービス・エリアの外にあると端末が決定するとき、端末はタイマを起動する。タイマが終了するときに、端末は、ネットワーク情報及びポリシー情報を削除する。タイマは、端末自体によって設定されてよく、あるいは、ステップ３０３又はステップ４０９を使用することによって端末へ送られてよい。
【０１６８】
結論として、図３又は図４に示される方法に従って、新たに構築されたネットワークのカバレッジエリア内の端末のコンフィグレーション情報は、更新され得る。
【０１６９】
以下は、本願で提供される、新しいネットワークのための構築方法について更に記載する。構築方法は、図３及び図４に示された方法実施形態の前に実行される。
【０１７０】
図５は、本願に従う通信方法を示し、これはネットワーク構築方法とも呼ばれ、次のステップを含む。
【０１７１】
ステップ５０１：ネットワーク管理システムは、ＡＭＦでネットワークのＤＮＮ及びサービス・エリアを設定する。
【０１７２】
ここで、ＡＭＦは、ネットワークのカバレッジエリア内にあるＡＭＦである。
【０１７３】
ステップ５０２：ネットワーク管理システムは、ＰＣＦでポリシー情報を設定する。
【０１７４】
任意に、ネットワーク管理システムは、代替的に、ＵＤＭでポリシー情報を設定してもよい。
【０１７５】
任意に、ネットワーク管理システムは、代替的に、ＰＣＦ及びＵＤＭでポリシー情報を設定してもよい。
【０１７６】
ステップ５０３：ネットワーク管理システムは、ＵＤＭでＤＮＮ、サービス・エリア、及び対象ＡＭＦの識別情報を設定する。
【０１７７】
対象ＡＭＦの識別子は、ネットワークのカバレッジエリア内のＡＭＦの識別情報である。識別情報は、例えば、アドレス情報であってよい。
【０１７８】
ステップ５０１の前に、すなわち、新しいネットワークの構築の前に、３ＧＰＰネットワークに登録している端末が存在する場合に、ＡＭＦは、端末の登録中に端末のサブスクリプションデータを記憶することが留意されるべきである。例えば、サブスクリプションデータは、端末がサブスクライブするＤＮＮを含む。サブスクライブされたＤＮＮはワイルドカードＤＮＮであってよく、あるいは、いくつかの特定のＤＮＮがサブスクライブされてよい。
【０１７９】
ステップ５０１乃至ステップ５０３に従って、ネットワーク管理システムは、新しいネットワークを構築し、具体的に、ＡＭＦ、ＰＣＦ、及びＵＤＭの夫々で設定を実行する。
【０１８０】
ステップ５０１乃至ステップ５０３に明確な実行順序はなく、実行順序は本願において制限されないことが留意されるべきである。
【０１８１】
図６は、ネットワーク構築方法とも呼ばれ得る、次のステップを含む本願に従う他の通信方法を示す。
【０１８２】
ステップ６０１：ＮＥＦは、アプリケーションデバイスから要求メッセージを受け取り、このとき、要求メッセージは、ネットワークの物理カバレッジエリアを含む。
【０１８３】
例において、ネットワークの物理カバレッジエリアは、スタジアム又はコンサートホールなどの物理カバレッジエリアであってよい。
【０１８４】
任意に、要求メッセージは、データ・ネットワーク・アクセス識別子及びネットワーク要件を更に含む。データ・ネットワーク・アクセス識別子（Data  Network  Access  Identifier，ＤＮＡＩ）は、アプリケーションプログラムの構築中に１つ以上のＤＮにアクセスするユーザプレーンの識別子である。ネットワーク要件は、クオリティ・オブ・サービス（Quality  of  Service，ＱｏＳ）、ＡＰＰリスト、又はそのようなものを含む。
【０１８５】
ステップ６０２：ＮＥＦは、ネットワークの物理カバレッジエリアに基づいてＡＭＦ及びネットワークのサービス・エリアを決定する。
【０１８６】
ＮＥＦは、ネットワークの物理カバレッジエリアを、コアネットワークによって識別され得るエリアに、例えば、サービス・エリアにマッピングする。更に、ＤＮＮが更にネットワークについて生成されてよい。
【０１８７】
ＮＥＦは、ネットワークの物理カバレッジエリアに基づいてＡＭＦを決定する。決定されたＡＭＦは、サービス・エリア内のＡＭＦである。
【０１８８】
更に、要求メッセージがデータ・ネットワーク・アクセス識別子及びネットワーク要件を含む場合に、ネットワークの物理カバレッジエリア、データ・ネットワーク・アクセス識別子、及びネットワーク要件に基づいて、ネットワークにサービスを提供するために、ネットワーク内に適切なネットワーク要素（例えば、ユーザプレーン機能（User  Plane  Function，ＵＰＦ）ネットワーク要素、ＡＭＦ、又はセッション管理機能（Session  Management  Function，ＳＭＦ）ネットワーク要素）があるかどうかが更に判定されてよい。ネットワーク内に適切なネットワーク要素がない場合には、ＮＥＦは、管理及びオーケストレーション（Management  and  Orchestration，ＭＡＮＯ）と相互作用し、それにより、ＭＡＮＯは、対応する位置でネットワーク要素インスタンスを構築する。
【０１８９】
更に、例において、設定は、後述されるステップ６０３乃至ステップ６０５を使用することによって各ネットワーク要素で実行されてよく、ステップ６０３、ステップ６０４及びステップ６０５の明確な実行順序はない。
【０１９０】
ステップ６０３：ＮＥＦは、ＤＮＮ、サービス・エリア、及びＡＭＦの識別子をＵＤＭへ送る。
【０１９１】
任意に、ＮＥＦは更に、ポリシー情報をＵＤＭへ送る。
【０１９２】
ステップ６０４：ＮＥＦは、ポリシー情報をＰＣＦへ送る。
【０１９３】
ステップ６０５：ＮＥＦは、ＤＮＮ及びサービス・エリアをＡＭＦへ送る。
【０１９４】
任意に、ＮＥＦは更に、ポリシー情報をＡＭＦへ送る。
【０１９５】
ステップ６０３乃至ステップ６０５に従って、設定は各ネットワーク要素で実行され、それにより、ＮＥＦはネットワーク上で設定を実行する。実施において、代替的に、ＮＥＦは、ネットワークについての指示情報を付加してよく、このとき、指示情報は、ネットワークがローカル・エリア・データ・ネットワークであることを示す。例えば、付加された指示情報は、ネットワークがローカル・エリア・データ・ネットワークであることを示すために使用されるローカル指示である。
【０１９６】
更に、上記のネットワーク設定が完了した後、ステップ６０６が更に実行されてよい。
【０１９７】
ステップ６０６：ＮＥＦは、更新メッセージをＡＭＦへ送り、このとき、更新メッセージは、データネットワーク名ＤＮＮ及びネットワークのサービス・エリアを含む。
【０１９８】
ステップ６０６は、端末のコンフィグレーション情報を更新するようＡＭＦをトリガするために使用される。ステップ６０６は、図３に示された実施形態におけるステップ３００であってよい。
【０１９９】
ステップ６０１の前に、すなわち、新しいネットワークの構築の前に、３ＧＰＰネットワークに登録している端末が存在する場合に、ＡＭＦは、端末の登録中に端末のサブスクリプションデータを記憶することが留意されるべきである。例えば、サブスクリプションデータは、端末がサブスクライブするＤＮＮを含む。サブスクライブされたＤＮＮはワイルドカードＤＮＮであってよく、あるいは、いくつかの特定のＤＮＮがサブスクライブされてよい。
【０２００】
ネットワーク構築が図５又は図６に示されたネットワーク構築方法を使用することによって完了した後、端末の設定が更に、図３又は図４の方法を使用することによって更新されてよい。
【０２０１】
同じ発明概念に基づいて、図７は、本願に従う装置の概略図である。装置は、モビリティ管理ネットワーク要素、通信ネットワーク要素、又はチップであってよく、上記の実施形態のうちのいずれか１つの方法を実行してよい。通信ネットワーク要素は、データ管理ネットワーク要素、ポリシー制御ネットワーク要素、又はネットワーク露出ネットワーク要素であってよい。
【０２０２】
装置７００は、少なくとも１つのプロセッサ７０１、通信ライン７０２、メモリ７０３、及び少なくとも１つの通信インターフェイス７０４を含む。
【０２０３】
プロセッサ７０１は、汎用の中央演算処理装置（Central  Processing  Unit，ＣＰＵ）、マイクロプロセッサ、特定用途向け集積回路（Application-Specific  Integrated  Circuit，ＡＳＩＣ）、又は本願の解決法のプログラム実行を制御するよう構成された１つ以上の集積回路であってよい。
【０２０４】
通信ライン７０２は、上記の構成要素の間で情報を転送するためのパスを含んでよい。
【０２０５】
通信インターフェイス７０４は、他のデバイス又はイーサネット、ラジオ・アクセス・ネットワーク（Radio  Access  Network，ＲＡＮ）若しくは無線ローカル・エリア・ネットワーク（Wireless  Local  Area  Network，ＷＬＡＮ）などの通信ネットワークと通信するために、トランシーバなどの如何なる装置も使用する。
【０２０６】
メモリ７０３は、リード・オンリー・メモリ（Read-Only  Memory，ＲＯＭ）若しくは静的情報及びメモリを記憶することができる他のタイプの静的記憶デバイス、又はランダム・アクセス・メモリ（Random  Access  Memory，ＲＡＭ）若しくは情報及び命令を記憶することができる他のタイプの動的記憶デバイスであってよく、あるいは、電気的消去可能なプログラム可能リード・オンリー・メモリ（Electrically  Erasable  Programmable  Read-Only  Memory，ＥＥＰＲＯＭ）、コンパクト・ディスク・リード・オンリー・メモリ（Compact  Disc  Read-Only  Memory，ＣＤ−ＲＯＭ）若しくは他のコンパクト・ディスク・ストレージ、光ディスク・ストレージ（コンパクト・ディスク、レーザー・ディスク、光ディスク、デジタル・バーサタイル・ディスク、ブルーレイ・ディスク、及びそのようなもの）、又は磁気ディスク記憶媒体若しくは他の磁気記憶デバイス、又は命令若しくはデータ構造形態を有している期待されるプログラムコードを搬送若しくは記憶することができ且つコンピュータによりアクセス可能であるあらゆる他の媒体であってよいが、それらに限られない。メモリは、独立して存在してよく、通信ライン７０２を使用することによってプロセッサへ接続される。代替的に、メモリは、プロセッサと一体化されてよい。
【０２０７】
メモリ７０３は、本願の解決法を実行するためのコンピュータ実行可能命令を記憶するよう構成され、プロセッサ７０１は、実行を制御する。プロセッサ７０１は、本願の上記の実施形態で提供される通信方法を実装するように、メモリ７０３に記憶されているコンピュータ実行可能命令を実行するよう構成される。
【０２０８】
任意に、本願のこの実施形態におけるコンピュータ実行可能命令は、アプリケーションプログラムコードとも呼ばれ得る。これは、本願のこの実施形態において特に制限されない。
【０２０９】
具体的な実施中に、実施形態において、プロセッサ７０１は、１つ以上のＣＰＵ、例えば、図７のＣＰＵ０及びＣＰＵ１を含んでよい。
【０２１０】
具体的な実施中に、実施形態において、装置７００は、複数のプロセッサ、例えば、図７のプロセッサ７０１及びプロセッサ７０８を含んでよい。プロセッサの夫々は、シングルコア（single-CPU）プロセッサであってよく、あるいは、マルチコア（multi-CPU）プロセッサであってよい。ここで、プロセッサは、データ（例えば、コンピュータプログラム命令）を処理する１つ以上のデバイス、回路、及び／又はプロセッシングコアであってよい。
【０２１１】
具体的な実施中に、実施形態において、装置７００は、出力デバイス７０５及び入力デバイス７０６を更に含んでよい。出力デバイス７０５は、プロセッサ７０１と通信し、複数の様態で情報を表示してよい。例えば、出力デバイス７０５は、液晶ディスプレイ（Liquid  Crystal  Display，ＬＣＤ）、発光ダイオード（Light  Emitting  Diode，ＬＥＤ）表示デバイス、陰極線管（Cathode  Ray  Tube，ＣＲＴ）表示デバイス、プロジェクタ、又はそのようなものであってよい。入力デバイス７０６は、プロセッサ７０１と通信し、複数の様態でユーザから入力を受け取ってよい。例えば、入力デバイス７０６は、マウス、キーボード、タッチスクリーンデバイス、検知デバイス、又はそのようなものであってよい。
【０２１２】
装置７００は、汎用デバイスであってよく、あるいは、専用デバイスであってよい。具体的な実施中に、装置７００は、デスクトップコンピュータ、ポータブルコンピュータ、ネットワークサーバ、パーソナル・デジタル・アシスタント（Personal  Digital  Assistant，ＰＤＡ）、携帯電話機、タブレットコンピュータ、無線端末デバイス、埋め込みデバイス、又は図７と同様の構造を有しているデバイスであってよい。装置７００のタイプは、本願のこの実施形態において制限されない。
【０２１３】
図７に示される装置がチップであり、例えば、モビリティ管理ネットワーク要素のチップ、ネットワーク露出ネットワーク要素のチップ、ポリシー制御ネットワーク要素のチップ、又はデータ管理ネットワーク要素のチップであってよいとき、チップは、プロセッサ７０１（及びプロセッサ７０８を更に含んでよい）、通信ライン７０２、メモリ７０３、及び通信インターフェイス７０４を含む。具体的に、通信インターフェイス７０４は、入力インターフェイス、ピン、回路、又はそのようなものであってよい。プロセッサ７０１及びプロセッサ７０８は、汎用ＣＰＵ、マイクロプロセッサ、ＡＳＩＣ、又は上記の実施形態のうちのいずれか１つの通信方法のプログラム実行を制御するよう構成された１つ以上の集積回路であってよい。
【０２１４】
装置の機能モジュールの分割は、本願における上記の方法の例に基づいて実行されてよい。例えば、機能モジュールは、対応する機能に基づいて分割されてよく、あるいは、２つ以上の機能が処理モジュールに一体化されてもよい。一体化されたモジュールは、ハードウェアの形で実装されてよく、あるいは、ソフトウェア機能モジュールの形で実装されてよい。本願では、モジュール分割は例であり、論理的機能分割にすぎないことが留意されるべきである。実際の実施では、他の分割様態が使用されてもよい。例えば、機能モジュールが対応する機能に基づいて分割されるとき、図８は、装置８００の概略図である。装置８００は、上記の実施形態におけるモビリティ管理ネットワーク要素であってよい。装置８００は、送信ユニット８０２及び処理ユニット８０３を含む。任意に、装置８００は、受信ユニット８０１を更に含む。
【０２１５】
処理ユニット８０３は、ネットワークのサービス・エリア及びデータネットワーク名ＤＮＮに基づいて、サービス・エリア内にあってＤＮＮにサブスクライブしている端末の識別子を含む端末リストを決定するよう構成され、そして、ＤＮＮに対応するポリシー情報を取得し、端末リスト内の各端末に対応するネットワーク情報を決定するよう構成され、このとき、ネットワーク情報は、ＤＮＮ及び端末の通信エリアを含む。
【０２１６】
送信ユニット８０２は、ポリシー情報及び端末に対応するネットワーク情報を端末リスト内の端末へ送るよう構成される。
【０２１７】
実施において、受信ユニット８０１は、通信ネットワーク要素からクエリ要求を受け取るよう構成され、このとき、クエリ要求は、端末リストを要求するために使用される。送信ユニット８０２は、端末リストを通信ネットワーク要素へ送るよう更に構成される。
【０２１８】
実施において、受信ユニット８０１は、通信ネットワーク要素からサブスクリプションを受け取るよう更に構成され、それにより、新しい端末がサービス・エリアに入り、新しい端末がＤＮＮにサブスクライブしている場合に、モビリティ管理ネットワーク要素は、新しい端末の識別子を通信ネットワーク要素に報告する。
【０２１９】
実施において、受信ユニット８０１は、通信ネットワーク要素から通知メッセージを受け取るよう更に構成され、このとき、通知メッセージは、端末リストを含み、通知メッセージは、端末リスト内の端末のコンフィグレーション情報の更新を通知する。任意に、通知メッセージは、ポリシー情報を更に含む。
【０２２０】
実施において、受信ユニット８０１は、通信ネットワーク要素から通知メッセージを受け取るよう構成され、このとき、通知メッセージは、ＤＮＮ及び／又はサービス・エリアを含み、通知メッセージは、端末のコンフィグレーション情報の更新を通知する。
【０２２１】
実施において、処理ユニット８０３は、装置で事前設定されたポリシー情報を取得するか、あるいは、ポリシー制御ネットワーク要素からポリシー情報を取得するか、あるいは、データ管理ネットワーク要素からポリシー情報を取得するよう特に構成される。
【０２２２】
装置は、本発明の実施形態の方法においてモビリティ管理ネットワーク要素によって実行されるステップを実装するよう構成されてよいことが理解されるべきである。関連する特徴については、上記の説明を参照されたい。詳細は、ここで再び記載されない。
【０２２３】
具体的に、図８における受信ユニット８０１、処理ユニット８０３、及び送信ユニット８０２の機能／実施プロセスは、メモリ７０３に記憶されているコンピュータ実行可能命令を呼び出すことによって図７のプロセッサ７０１によって実装されてよい。代替的に、図８における処理ユニット８０３の機能／実施プロセスは、メモリ７０３に記憶されているコンピュータ実行可能命令を呼び出すことによって図７のプロセッサ７０１によって実装されてよく、図８における受信ユニット８０１及び送信ユニット８０２の機能／実施プロセスは、図７の通信インターフェイス７０４によって実装されてよい。
【０２２４】
任意に、装置８００がチップであるとき、受信ユニット８０１及び送信ユニット８０２の機能／実施プロセスは、代替的に、ピン、回路、又はそのようなものによって実装されてよい。任意に、装置８００がチップであるとき、メモリ７０３は、チップ内の記憶ユニット、例えば、レジスタ又はキャッシュであってよい。確かに、装置８００がモビリティ管理ネットワーク要素であるとき、メモリ７０３は、モビリティ管理ネットワーク要素内のチップの外にある記憶ユニットであってもよい。これは、本願のこの実施形態において特に制限されない。
【０２２５】
装置の機能モジュールの分割は、本願における上記の方法の例に基づいて実行されてよい。例えば、機能モジュールは、対応する機能に基づいて分割されてよく、あるいは、２つ以上の機能が処理モジュールに一体化されてもよい。一体化されたモジュールは、ハードウェアの形で実装されてよく、あるいは、ソフトウェア機能モジュールの形で実装されてよい。本願では、モジュール分割は例であり、論理的機能分割にすぎないことが留意されるべきである。実際の実施では、他の分割様態が使用されてもよい。例えば、機能モジュールが対応する機能に基づいて分割されるとき、図９は、装置９００の概略図である。装置９００は、上記の実施形態における通信ネットワーク要素であってよい。装置９００は、処理ユニット９０３及び送信ユニット９０２を含む。任意に、装置９００は、受信ユニット９０１を更に含む。
【０２２６】
処理ユニット９０３は、端末リストを取得するよう構成され、このとき、端末リストは、ネットワークのサービス・エリア内にあってネットワークのデータネットワーク名ＤＮＮにサブスクライブしている端末の識別子を含む。
【０２２７】
送信ユニット９０２は、通知メッセージをモビリティ管理ネットワーク要素へ送るよう構成され、このとき、通知メッセージは、端末リストを含み、通知メッセージは、端末リスト内の端末のコンフィグレーション情報の更新を通知する。任意に、受信ユニット９０１は、モビリティ管理ネットワーク要素から応答メッセージを受け取るよう構成され、このとき、応答メッセージは、更新結果を知らせるために使用される。任意に、通知メッセージは、ポリシー情報を更に含む。
【０２２８】
実施において、処理ユニット９０３は、送信ユニット９０２を使用することによってクエリ要求をモビリティ管理ネットワーク要素へ送るよう構成され、このとき、クエリ要求は、端末リストを要求するために使用される。受信ユニット９０１は、モビリティ管理ネットワーク要素から端末リストを受け取るよう構成される。
【０２２９】
実施において、送信ユニット９０２は、モビリティ管理ネットワーク要素にサブスクライブするよう更に構成され、それにより、新しい端末がサービス・エリアに入り、新しい端末がＤＮＮにサブスクライブしている場合に、モビリティ管理ネットワーク要素は、新しい端末の識別子を通信ネットワーク要素に報告する。
【０２３０】
実施において、処理ユニット９０３は、モビリティ管理ネットワーク要素によって報告された新しい端末の識別子を端末リストに加えるよう特に構成される。
【０２３１】
装置は、本発明の実施形態の方法において通信ネットワーク要素によって実行されるステップを実装するよう構成されてよいことが理解されるべきである。関連する特徴については、上記の説明を参照されたい。詳細は、ここで再び記載されない。通信ネットワーク要素は、データ管理ネットワーク要素、ポリシー制御ネットワーク要素、又はネットワーク露出ネットワーク要素であってよい。
【０２３２】
具体的に、図９における受信ユニット９０１、送信ユニット９０２、及び処理ユニット９０３の機能／実施プロセスは、メモリ７０３に記憶されているコンピュータ実行可能命令を呼び出すことによって図７のプロセッサ７０１によって実装されてよい。代替的に、図９における処理ユニット９０３の機能／実施プロセスは、メモリ７０３に記憶されているコンピュータ実行可能命令を呼び出すことによって図７のプロセッサ７０１によって実装されてよく、図９における受信ユニット９０１及び送信ユニット９０２の機能／実施プロセスは、図７の通信インターフェイス７０４によって実装されてよい。
【０２３３】
任意に、装置９００がチップであるとき、受信ユニット９０１及び送信ユニット９０２の機能／実施プロセスは、代替的に、ピン、回路、又はそのようなものによって実装されてよい。任意に、装置９００がチップであるとき、メモリ７０３は、チップ内の記憶ユニット、例えば、レジスタ又はキャッシュであってよい。確かに、装置９００が通信ネットワーク要素であるとき、メモリ７０３は、通信ネットワーク要素内のチップの外にある記憶ユニットであってもよい。これは、本願のこの実施形態において特に制限されない。
【０２３４】
装置の機能モジュールの分割は、本願における上記の方法の例に基づいて実行されてよい。例えば、機能モジュールは、対応する機能に基づいて分割されてよく、あるいは、２つ以上の機能が処理モジュールに一体化されてもよい。一体化されたモジュールは、ハードウェアの形で実装されてよく、あるいは、ソフトウェア機能モジュールの形で実装されてよい。本願では、モジュール分割は例であり、論理的機能分割にすぎないことが留意されるべきである。実際の実施では、他の分割様態が使用されてもよい。例えば、機能モジュールが対応する機能に基づいて分割されるとき、図１０は、装置１０００の概略図である。装置１０００は、上記の実施形態におけるネットワーク露出ネットワーク要素であってよい。装置１０００は、受信ユニット１００１、送信ユニット１００２、及び処理ユニット１００３を含む。
【０２３５】
受信ユニット１００１は、アプリケーションデバイスから要求メッセージを受け取るよう構成され、このとき、要求メッセージは、ネットワークの物理カバレッジエリアを含む。
【０２３６】
処理ユニット１００３は、ネットワークの物理カバレッジエリアに基づいてモビリティ管理ネットワーク要素及びネットワークのサービス・エリアを決定するよう構成される。
【０２３７】
送信ユニット１００２は、更新メッセージをモビリティ管理ネットワーク要素へ送るよう構成され、このとき、更新メッセージは、データネットワーク名ＤＮＮ及びネットワークのサービス・エリアを含む。
【０２３８】
実施において、送信ユニット１００２は、ＤＮＮに対応するポリシー情報をモビリティ管理ネットワーク要素へ送り、かつ／あるいは、ＤＮＮに対応するポリシー情報をデータ管理ネットワーク要素へ送り、かつ／あるいは、ＤＮＮに対応するポリシー情報をポリシー制御ネットワーク要素へ送るよう更に構成される。
【０２３９】
実施において、処理ユニット１００３は、ネットワークについての指示情報を付加するよう更に構成され、このとき、指示情報は、ネットワークがローカル・エリア・データ・ネットワークであることを示す。
【０２４０】
装置は、本発明の実施形態の方法においてネットワーク露出ネットワーク要素によって実行されるステップを実装するよう構成されてよいことが理解されるべきである。関連する特徴については、上記の説明を参照されたい。詳細は、ここで再び記載されない。
【０２４１】
具体的に、図１０における受信ユニット１００１、送信ユニット１００２、及び処理ユニット１００３の機能／実施プロセスは、メモリ７０３に記憶されているコンピュータ実行可能命令を呼び出すことによって図７のプロセッサ７０１によって実装されてよい。代替的に、図１０における処理ユニット１００３の機能／実施プロセスは、メモリ７０３に記憶されているコンピュータ実行可能命令を呼び出すことによって図７のプロセッサ７０１によって実装されてよく、図１０における受信ユニット１００１及び送信ユニット１００２の機能／実施プロセスは、図７の通信インターフェイス７０４によって実装されてよい。
【０２４２】
任意に、装置１０００がチップであるとき、受信ユニット１００１及び送信ユニット１００２の機能／実施プロセスは、代替的に、ピン、回路、又はそのようなものによって実装されてよい。任意に、装置１０００がチップであるとき、メモリ７０３は、チップ内の記憶ユニット、例えば、レジスタ又はキャッシュであってよい。確かに、装置１０００が通信ネットワーク要素であるとき、メモリ７０３は、通信ネットワーク要素内のチップの外にある記憶ユニットであってもよい。これは、本願のこの実施形態において特に制限されない。
【０２４３】
図１２は、通信装置１２００の概略図である。通信装置１２００は、上記の実施形態における端末であってよい。通信装置１２００は、取得ユニット１２０１及び決定ユニット１２０２を含む。
【０２４４】
取得ユニット１２０１は、ポリシー情報を取得するよう構成され、このとき、ポリシー情報は、ローカル指示と、第１ネットワークを識別するために使用されるネットワーク識別子とを含み、ローカル指示は、第１ネットワークが特定のエリア内でのみアクセス可能なネットワークであることを示す。
【０２４５】
決定ユニット１２０２は、ポリシー情報に基づいて、検出されたアプリケーションに関連した第１ネットワークが特定のエリア内でのみアクセス可能なネットワークであることを決定するよう構成される。
【０２４６】
通信装置に従って、端末は、アプリケーションに関連した第１ネットワークが特定のエリア内でのみアクセス可能なネットワークであるかどうかを知り、特定のエリア内でのみアクセス可能なネットワークに特有の動作を実行することができる。
【０２４７】
実施において、取得ユニット１２０１は、ネットワーク情報を取得するよう更に構成される。例えば、取得ユニット１２０１は、モビリティ管理ネットワーク要素からネットワーク情報を取得してよい。決定ユニット１２０２は、端末がネットワーク情報によって示されたエリア内にあるときに、端末によって、セッション管理プロシージャを開始すると決定するよう更に構成される。他の実施では、決定ユニット１２０２は、端末がネットワーク情報を有していないときに、端末によって、セッション管理を開始しないと決定するよう更に構成される。従って、端末がネットワーク情報を取得するとき、端末は、端末の位置及びネットワーク情報に基づいて、セッション管理プロシージャを開始すべきかどうかを更に決定してよく、あるいは、端末がネットワーク情報を取得しないとき、端末は、特定のエリア内でのみアクセス可能なネットワークのサービス・エリアの外にあり、従って、セッション管理を開始しないと考えられてよい。
【０２４８】
装置は、本発明の実施形態の方法において端末によって実行されるステップを実装するよう構成されてよいことが理解されるべきである。関連する特徴については、上記の説明を参照されたい。詳細は、ここで再び記載されない。
【０２４９】
具体的に、図１２における取得ユニット１２０１及び決定ユニット１２０２の機能／実施プロセスは、メモリ７０３に記憶されているコンピュータ実行可能命令を呼び出すことによって図７のプロセッサ７０１によって実装されてよい。代替的に、図１２における決定ユニット１２０２の機能／実施プロセスは、メモリ７０３に記憶されているコンピュータ実行可能命令を呼び出すことによって図７のプロセッサ７０１によって実装されてよく、図１２における取得ユニット１２０１の機能／実施プロセスは、図７の通信インターフェイス７０４によって実装されてよい。
【０２５０】
任意に、装置１２００がチップであるとき、取得ユニット１２０１の機能／実施プロセスは、代替的に、ピン、回路、又はそのようなものによって実装されてよい。任意に、装置１２００がチップであるとき、メモリ７０３は、チップ内の記憶ユニット、例えば、レジスタ又はキャッシュであってよい。確かに、装置１２００が端末であるとき、メモリ７０３は、通信ネットワーク要素内のチップの外にある記憶ユニットであってもよい。これは、本願のこの実施形態において特に制限されない。
【０２５１】
上記の実施形態の全て又は一部は、ソフトウェア、ハードウェア、ファームウェア、又はそれらの任意の組み合わせを使用することによって実装されてよい。ソフトウェアが実施形態を実装するために使用されるとき、実施形態は、完全に又は部分的にコンピュータプログラム製品の形で実装されてよい。コンピュータプログラム製品は、１つ以上のコンピュータ命令を含む。コンピュータプログラム命令がコンピュータでロード及び実行されるとき、本発明の実施形態に従うプロシージャ又は機能は全て又は部分的に生成される。コンピュータは、汎用コンピュータ、専用コンピュータ、コンピュータネットワーク、又はプログラム可能な装置であってよい。コンピュータ命令は、コンピュータ可読記憶媒体に記憶されてよく、あるいは、コンピュータ可読記憶媒体から他のコンピュータ可読記憶媒体へ送られてもよい。例えば、コンピュータ命令は、ウェブサイト、コンピュータ、サーバ、又はデータセンタから、他のウェブサイト、コンピュータ、サーバ、又はデータセンタへ有線（例えば、同軸ケーブル、光ファイバ、若しくはデジタル加入者回線（ＤＳＬ））又は無線（例えば、赤外線、電波、若しくはマイクロ波）方式で送られてよい。コンピュータ可読記憶媒体は、コンピュータによってアクセス可能な任意の使用可能な媒体、又はサーバ若しくはデータセンタなどの、１つ以上の使用可能な媒体を組み込むデータ記憶デバイスであってよい。使用可能な媒体は、磁気媒体（例えば、フロッピーディスク、ハードディスク、若しくは磁気テープ）、光学媒体（例えば、ＤＶＤ）、半導体媒体（例えば、固体状態ドライブ（Solid  State  Disk，ＳＳＤ））、又はそのようなものであってよい。
【０２５２】
本願の実施形態で記載されている様々な実例となる論理ユニット及び回路は、汎用プロセッサ、デジタル信号プロセッサ、特定用途向け集積回路（ＡＳＩＣ）、フィールド・プログラマブル・ゲート・アレイ（ＦＰＧＡ）若しくは他のプログラム可能な論理装置、ディスクリート・ゲート若しくはトランジスタ・ロジック、ディスクリート・ハードウェア部品、又はそれらの任意の組み合わせの設計を使用することによって、記載されている機能を実装又は動作してよい。汎用プロセッサはマイクロプロセッサであってよい。任意に、汎用プロセッサは、あらゆる従来のプロセッサ、コントローラ、マイクロコントローラ、又は状態機械であってもよい。プロセッサはまた、デジタル信号プロセッサとマイクロプロセッサ、複数のマイクロプロセッサ、デジタル信号プロセッサコアを備えた１つ以上のマイクロプロセッサ、又はあらゆる他の同様の構成などの、コンピューティング装置の組み合わせによって実装されてもよい。
【０２５３】
本願の実施形態で記載されている方法のステップ又はアルゴリズムは、ハードウェア、プロセッサによって実行されるソフトウェアユニット、又はそれらの組み合わせに直接組み込まれてよい。ソフトウェアユニットは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、又は当該技術におけるあらゆる他の形態の記憶媒体に記憶されてもよい。例えば、記憶媒体は、プロセッサが記憶媒体から情報を読み出し、情報を記憶媒体に書き込み得るように、プロセッサへ接続してよい。代替的に、記憶媒体は更に、プロセッサに一体化されてもよい。プロセッサ及び記憶媒体は、ＡＳＩＣに配置されてよく、ＡＳＩＣは、端末デバイスに配置されてよい。代替的に、プロセッサ及び記憶媒体はまた、端末デバイスの異なる構成要素に配置されてもよい。
【０２５４】
コンピュータプログラム命令はまた、コンピュータ又は他のプログラム可能なデータ処理デバイスにロードされてよく、それにより、一連の動作及びステップがコンピュータ又は他のプログラム可能なデータ処理デバイスで実行されて、コンピュータ実装処理が生成される。従って、コンピュータ又は他のプログラム可能なデータ処理デバイスで実行される命令は、フローチャート内の１つ以上のプロセスの及び／又はブロック図中の１つ以上のブロックでの特定の機能を実装するステップを提供する。
【０２５５】
本発明は、その具体的な特徴及び実施形態を参照して記載されているが、明らかに、本発明の精神及び適用範囲から逸脱することなしに、それらに対して様々な変更及び結合が行われてよい。相応して、明細書及び添付の図面は、添付の特許請求の範囲によって定義される本発明の例となる説明にすぎず、本発明の適用範囲をカバーするいずれかの又は全ての変更、変形、結合又は均等とみなされる。明らかに、当業者であれば、本発明の精神及び適用範囲から逸脱することなしに、本発明に対して様々な変更及び変形を行うことができる。本発明は、それらが、続く特許請求の範囲及びその同等技術によって定義される保護の範囲内にあるという条件で、それらの変更及び変形をカバーするよう意図される。
【国際調査報告】
2021503865.tif 000015
2021503865.tif 000016
2021503865.tif 000017
2021503865.tif 000018